(57)【特許請求の範囲】
【請求項１】
アクセスポイントを動作させて、情報をアクセス端末へ通信する方法であって、
前記アクセスポイントにおいて、第１のパケットを遠隔装置から受信することと、なお、前記第１のパケットは、第１の長アドレスと、通信されるべき情報とを含む；
通信リンク上で通信するために使用されるべき、前記第１の長アドレスに対応する第１の短アドレスを決定することと、なお、前記第１の短アドレスは、前記第１の長アドレスよりも少ないビットを含む；
通信されるべき前記情報を前記第１の短アドレスで前記アクセス端末へ送信することと；
前記アクセスポイントにおいて、第２のパケットを前記アクセス端末から受信することと、なお、前記第２のパケットは、第２の短アドレスと、前記遠隔装置へ通信されるべき情報とを含む；
前記情報を前記遠隔装置へ通信するために使用されるように、前記第２の短アドレスに基づいて第２の長アドレスを決定することと、なお、前記第２の長アドレスは、前記第２の短アドレスよりも多いビットを含む；
通信されるべき前記情報を前記第２の長アドレスで前記遠隔装置へ送出することと；
を備え、
前記第２の短アドレスおよび前記第２の長アドレスは、前記遠隔装置を独立して識別し、前記第２の短アドレスは、前記第２の長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記第２のパケットが前記アクセス端末から受信され、次いで前記アクセスポイントにおいてその第２のパケットが前記異なるアクセスポイントから前記レイヤ２トンネルを介して受信される、
方法。
【請求項２】
前記第１の長アドレスに対応する第１の短アドレスを決定することは、
長アドレスおよび短アドレス間をマッピングする情報を含むアドレスデータベースにおいてルックアップ動作を行うこと、
を含む、
請求項１に記載の方法。
【請求項３】
前記第１の長アドレスに対応する第１の短アドレスを決定することの前記のステップの前に、
前記第１の長アドレスに対応する前記第１の短アドレスを示す前記アクセス端末からの信号を受信することと、
前記アドレスデータベース内の前記第１の短アドレスを、前記第１の長アドレスに関連付けられたデータベースエントリ内に記憶させることと、
をさらに備える請求項２に記載の方法。
【請求項４】
前記第１の長アドレスは、ＩＰアドレスである、請求項３に記載の方法。
【請求項５】
前記第１の短アドレスは、前記ＩＰアドレスの短縮されたバージョンである、請求項４に記載の方法。
【請求項６】
前記第１の長アドレスは、前記遠隔装置からレイヤ２トンネルを通してパケットをルーティングするために使用されるアドレスであり、
前記第１の短アドレスは、パケットをエアリンク上で通信するために使用されるアドレスである、
請求項３に記載の方法。
【請求項７】
前記遠隔装置は、遠隔アクセスポイントであり、
通信されるべき前記情報を前記第１の短アドレスで前記アクセス端末へ送信することは、短縮されたアドレスを含むヘッダで、前記受信されたパケットに含まれるパケットペイロードを送信すること、を含む、
請求項６に記載の方法。
【請求項８】
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記第１の短アドレスは、前記アクセス端末にとって前記アクセスポイントの位置において固有のものである、
請求項７に記載の方法。
【請求項９】
アクセスポイントにおいて、第１の長アドレスと通信されるべき情報とを含む第１のパケットを、遠隔装置から受信し；
通信リンク上で通信するために使用されるべき、前記第１の長アドレスに対応する、前記第１の長アドレスよりも少ないビットを含む第１の短アドレス、を決定し；
通信されるべき前記情報を前記第１の短アドレスでアクセス端末へ送信し；
前記アクセスポイントにおいて、第２のパケットを前記アクセス端末から受信し、なお、前記第２のパケットは、第２の短アドレスと、前記遠隔装置へ通信されるべき情報とを含む；
前記情報を前記遠隔装置へ通信するために使用されるべき、前記第２の短アドレスに対応する第２の長アドレスを決定し、なお、前記第２の長アドレスは、前記第２の短アドレスよりも多いビットを含む；
通信されるべき前記情報を前記第２の長アドレスで前記遠隔装置へ送出する；
ように構成され、
前記第２の短アドレスおよび前記第２の長アドレスは、前記遠隔装置を独立して識別し、前記第２の短アドレスは、前記第２の長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記第２のパケットが前記アクセス端末から受信され、次いで前記アクセスポイントにおいてその第２のパケットが前記異なるアクセスポイントから前記レイヤ２トンネルを介して受信される、
プロセッサ、
を備える装置。
【請求項１０】
前記プロセッサは、前記第１の長アドレスに対応する第１の短アドレスを決定する際に、
長アドレスおよび短アドレス間をマッピングする情報を含むアドレスデータベースにおいてルックアップ動作を行う、
ようにさらに構成されている、
請求項９に記載の装置。
【請求項１１】
前記プロセッサは、前記第１の長アドレスに対応する第１の短アドレスを決定することの前記のステップの前に、
前記第１の長アドレスに対応する前記第１の短アドレスを示す前記アクセス端末からの信号を受信し、
前記アドレスデータベース内の前記第１の短アドレスを、前記第１の長アドレスに関連付けられたデータベースエントリ内に記憶させる、
ようにさらに構成されている、
請求項１０に記載の装置。
【請求項１２】
前記第１の長アドレスは、前記遠隔装置からレイヤ２トンネルを通してパケットをルーティングするために使用されるアドレスであり、
前記第１の短アドレスは、パケットをエアリンク上で通信するために使用されるアドレスである、
請求項１１に記載の装置。
【請求項１３】
他の通信装置と通信する方法を実施するためにアクセスポイントを制御するための機械実行可能な命令を具現化する非一時的コンピュータ読み出し可能記憶媒体であって、前記方法は、
アクセスポイントにおいて、第１のパケットを遠隔装置から受信することと、なお、前記パケットは、第１の長アドレスと通信されるべき情報とを含む；
通信リンク上で通信するために使用されるように、前記第１の長アドレスに対応する第１の短アドレスを決定することと、なお、前記第１の短アドレスは、前記第１の長アドレスよりも少ないビットを含む；
通信されるべき前記情報を前記第１の短アドレスで前記アクセス端末へ送信することと；
前記アクセスポイントにおいて、第２のパケットを前記アクセス端末から受信することと、なお、前記第２のパケットは、第２の短アドレスと、前記遠隔装置へ通信されるべき情報とを含む；
前記情報を前記遠隔装置へ通信するために使用されるように、前記第２の短アドレスに基づいて第２の長アドレスを決定することと、なお、前記第２の長アドレスは、前記第２の短アドレスよりも多いビットを含む；
通信されるべき前記情報を前記第２の長アドレスで前記遠隔装置へ送出することと；
を備え、
前記第２の短アドレスおよび前記第２の長アドレスは、前記遠隔装置を独立して識別し、前記第２の短アドレスは、前記第２の長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記第２のパケットが前記アクセス端末から受信され、次いで前記アクセスポイントにおいてその第２のパケットが前記異なるアクセスポイントから前記レイヤ２トンネルを介して受信される、
非一時的コンピュータ読み出し可能記憶媒体。
【請求項１４】
アクセスポイントを動作させて、情報を遠隔装置へ通信する方法であって、
アクセスポイントにおいて、パケットをアクセス端末から受信することと、なお、前記パケットは、短アドレスと前記遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
を備え、
前記短アドレスおよび前記長アドレスは、前記遠隔装置を独立して識別し、前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセス端末から受信され、次いで前記アクセスポイントにおいてそのパケットが前記異なるアクセスポイントから前記レイヤ２トンネルを介して受信される、
方法。
【請求項１５】
前記短アドレスに対応する長アドレスを決定することは、
短アドレスおよび長アドレス間をマッピングする情報を含むアドレスデータベースにおいてルックアップ動作を行うこと、
を含む、
請求項１４に記載の方法。
【請求項１６】
前記短アドレスに対応する長アドレスを決定することの前記のステップの前に、
前記長アドレスに対応する前記短アドレスを示す前記アクセス端末からの信号を受信することと、
前記アドレスデータベース内の前記短アドレスを、前記長アドレスに関連付けられたデータベースエントリ内に記憶させることと、
をさらに備える請求項１５に記載の方法。
【請求項１７】
前記長アドレスは、ＩＰアドレスである、請求項１６に記載の方法。
【請求項１８】
前記短アドレスは、前記ＩＰアドレスの短縮されたバージョンである、請求項１７に記載の方法。
【請求項１９】
前記長アドレスは、前記遠隔装置へレイヤ２トンネルを通してパケットをルーティングするために使用されるアドレスであり、
前記短アドレスは、パケットをエアリンク上で通信するために使用されるアドレスである、
請求項１６に記載の方法。
【請求項２０】
前記遠隔装置は、遠隔アクセスポイントである、請求項１９に記載の方法。
【請求項２１】
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記短アドレスは、前記アクセス端末にとって前記アクセスポイントの位置において固有のものである、
請求項２０に記載の方法。
【請求項２２】
アクセスポイントにおいて、短アドレスと遠隔装置へ通信されるべき情報とを含むパケットをアクセス端末から受信し；
前記情報を前記遠隔装置へ通信するために使用されるべき、前記短アドレスに対応し、前記短アドレスよりも多いビットを含む、前記長アドレスを決定し；
通信されるべき前記情報を前記長アドレスで前記遠隔装置へ送出する；
ように構成され、
前記短アドレスおよび前記長アドレスは、前記遠隔装置を独立して識別し、前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセス端末から受信され、次いで前記アクセスポイントにおいてそのパケットが前記異なるアクセスポイントから前記レイヤ２トンネルを介して受信される、
プロセッサ、
を備える装置。
【請求項２３】
前記プロセッサは、前記短アドレスに対応する長アドレスを決定する際に、
短アドレスおよび長アドレス間をマッピングする情報を含むアドレスデータベースにおいてルックアップ動作を行う、
ようにさらに構成されている、
請求項２２に記載の装置。
【請求項２４】
前記プロセッサは、前記短アドレスに対応する長アドレスを決定することの前記のステップの前に、
前記長アドレスに対応する前記短アドレスを示す前記アクセス端末からの信号を受信し、
前記アドレスデータベース内の前記短アドレスを、前記長アドレスに関連付けられたデータベースエントリ内に記憶させる、
ようにさらに構成されている、
請求項２３に記載の装置。
【請求項２５】
前記長アドレスは、ＩＰアドレスである、請求項２４に記載の装置。
【請求項２６】
前記長アドレスは、前記遠隔装置へレイヤ２トンネルを通してパケットをルーティングするために使用されるアドレスであり、
前記短アドレスは、パケットをエアリンク上で通信するために使用されるアドレスである、
請求項２４に記載の装置。
【請求項２７】
他の通信装置と通信する方法を実施するためにアクセスポイントを制御するための機械実行可能な命令を具現化する非一時的コンピュータ読み出し可能記憶媒体であって、前記方法は、
アクセスポイントにおいて、パケットをアクセス端末から受信することと、なお、前記パケットは、短アドレスと遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
を備え、
前記短アドレスおよび前記長アドレスは、前記遠隔装置を独立して識別し、前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセス端末から受信され、次いで前記アクセスポイントにおいてそのパケットが前記異なるアクセスポイントから前記レイヤ２トンネルを介して受信される、
非一時的コンピュータ読み出し可能記憶媒体。
【請求項２８】
情報をアクセス端末へ通信するためのアクセスポイントであって、
第１のパケットを遠隔装置からネットワーク接続を介して受信するためのネットワークインターフェースと、なお、前記第１のパケットは、第１の長アドレスと通信されるべき情報とを含む；
前記第１の長アドレスに対応する第１の短アドレスを決定するための長アドレスから短アドレスへのマッピングモジュールと、なお、前記第１の短アドレスは、無線通信リンク上で使用され、前記第１の長アドレスよりも少ないビットを含む；
前記第１の短アドレスと通信されるべき前記情報とを含むパケットを生成するためのダウンリンクパケット生成モジュールと；
前記無線通信リンク上でダウンリンクパケットを送信するための無線送信器と；
第２のパケットをアクセス端末から受信するための無線受信器と、なお、前記第２のパケットは、第２の短アドレスと、前記遠隔装置へ通信されるべき情報とを含む；
情報を前記遠隔装置へ通信するために使用されるべき、前記第２の短アドレスに対応する第２の長アドレスを決定するための短アドレスから長アドレスへのマッピングモジュールと、なお、前記第２の長アドレスは、前記第２の短アドレスよりも多いビットを含む；
を備え、
前記第２の短アドレスおよび前記第２の長アドレスは、前記遠隔装置を独立して識別し、前記第２の短アドレスは、前記第２の長アドレスの一部を含み、かつＭＡＣアドレスともＩｐｖ４アドレスとも異なり、
複数のアクセスポイントは、レイヤ２トンネル上でデータを交換することができ、異なるアクセスポイントが担当アクセスポイントである場合、前記異なるアクセスポイントにおいて前記第２のパケットが前記アクセス端末から受信され、次いでその第２のパケットが前記異なるアクセスポイントから前記レイヤ２トンネルを介して受信される、
アクセスポイント。
【請求項２９】
前記長アドレスから短アドレスへのマッピングモジュールにアクセス可能であって、長アドレスと短アドレスとを関連付ける記憶情報を含む、アドレスデータベース、
をさらに備える請求項２８に記載のアクセスポイント。
【請求項３０】
前記第１の長アドレスに対応する前記第１の短アドレスを示す前記アクセス端末からの信号を受信するための無線受信器モジュールと、
前記アドレスデータベース内の前記第１の短アドレスを、前記第１の長アドレスに関連付けられたデータベースエントリ内に記憶させるためのデータベース更新モジュールと、
をさらに備える請求項２９に記載のアクセスポイント。
【請求項３１】
前記第１の長アドレスは、ＩＰアドレスである、請求項３０に記載のアクセスポイント。
【請求項３２】
前記第１の短アドレスは、前記ＩＰアドレスの短縮されたバージョンである、請求項３１に記載のアクセスポイント。
【請求項３３】
前記第１の長アドレスは、前記遠隔装置と前記アクセスポイントとの間でレイヤ２トンネルを通してパケットをルーティングするために使用されるアドレスであり、
前記第１の短アドレスは、パケットをエアリンク上で通信するために使用されるアドレスである、
請求項３０に記載のアクセスポイント。
【請求項３４】
前記ネットワークインターフェースは、バックホールリンクによって、遠隔アクセスポイントである前記遠隔装置に結合される、請求項３３に記載のアクセスポイント。
【請求項３５】
前記アクセスポイントが前記アクセス端末の現在のアクティブなネットワーク接続ポイントであることを示す情報を含む状態情報を含む記憶アクセス端末状態情報、
をさらに備え、
前記第１の短アドレスは、前記アクセス端末にとって前記アクセスポイントの位置において固有のものである、
請求項３４に記載のアクセスポイント。
【請求項３６】
前記遠隔装置へ送出されるべきパケットを生成するためのトンネリングされたパケット生成モジュールと；
をさらに備え、
前記トンネリングされたパケット生成モジュールは、
ｉ）前記受信されたパケット内に含まれる短アドレスから決定された長アドレスと、
ｉｉ）前記長アドレスを決定するために使用される前記短アドレスを含んだ前記受信されたパケット内に含まれた、通信されるべき情報と、
を含むパケットを生成する、
請求項２８に記載のアクセスポイント。
【請求項３７】
情報をアクセス端末へ通信するためのアクセスポイントであって、
第１のパケットを遠隔装置からネットワーク接続を介して受信するためのネットワークインターフェース手段と、なお、前記第１のパケットは、第１の長アドレスと通信されるべき情報とを含む；
前記第１の長アドレスに対応する第１の短アドレスを決定するための、長アドレスから短アドレスへのマッピング手段と、なお、前記第１の短アドレスは、無線通信リンク上で使用され、前記第１の長アドレスよりも少ないビットを含む；
前記第１の短アドレスと通信されるべき前記情報とを含むパケットを生成するためのダウンリンクパケット生成手段と；
前記無線通信リンク上でダウンリンクパケットを送信するための手段と；
第２のパケットをアクセス端末から受信するための受信器手段と、なお、前記第２のパケットは、第２の短アドレスと、前記遠隔装置へ通信されるべき情報とを含む；
情報を前記遠隔装置へ通信するために使用されるべき、前記第２の短アドレスに対応する第２の長アドレスを決定するための、短アドレスから長アドレスへのマッピング手段と、なお、前記第２の長アドレスは、前記第２の短アドレスよりも多いビットを含む；
を備え、
前記第２の短アドレスおよび前記第２の長アドレスは、前記遠隔装置を独立して識別し、前記第２の短アドレスは、前記第２の長アドレスの一部を含み、かつＭＡＣアドレスともＩｐｖ４アドレスとも異なり、
複数のアクセスポイントは、レイヤ２トンネル上でデータを交換することができ、異なるアクセスポイントが担当アクセスポイントである場合、前記異なるアクセスポイントにおいて前記第２のパケットが前記アクセス端末から受信され、次いでその第２のパケットが前記異なるアクセスポイントから前記レイヤ２トンネルを介して受信される、
アクセスポイント。
【請求項３８】
アクセス端末を動作させて、情報を遠隔装置へアクセスポイントを介して通信する方法であって、
前記遠隔装置を識別するために前記アクセス端末によって使用される短アドレスおよび前記遠隔装置を識別するために前記アクセスポイントによって使用される長アドレス間のマッピングを示すメッセージを前記アクセスポイントへ通信することと；
エアリンク上で前記遠隔装置へ通信されるべき情報を前記遠隔装置に対応する前記短アドレスで前記アクセスポイントへ送信することと；
を備え、
前記マッピング情報メッセージは、
前記アクセスポイントが、
前記遠隔装置への情報の通信において使用するために前記短アドレスに基づいて前記長アドレスを決定する、
ことを可能にし、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記アクセス端末が前記マッピング情報メッセージを前記異なるアクセスポイントに送信し、次いで前記異なるアクセスポイントがそのマッピング情報メッセージを前記レイヤ２トンネルを介して前記アクセスポイントに送信する、
方法。
【請求項３９】
前記短アドレスおよび長アドレス間をマッピングする情報を前記アクセス端末内に含まれるデータベース内に記憶すること、
をさらに備える請求項３８に記載の方法。
【請求項４０】
マッピングを示す前記メッセージを通信する前に、前記長アドレスの短縮されたバージョンである前記短アドレスを前記長アドレスから生成すること、
をさらに備える請求項３９に記載の方法。
【請求項４１】
前記長アドレスは、レイヤ２トンネルを通して前記アクセスポイント装置と前記遠隔装置との間でパケットを通信するために使用されるＩＰアドレスである、請求項４０に記載の方法。
【請求項４２】
前記遠隔装置は、遠隔アクセスポイントである、請求項４１に記載の方法。
【請求項４３】
前記遠隔アクセスポイントは、前記アクセス端末のアクティブなネットワーク接続ポイントとして以前に機能し、
前記アクセスポイントは、前記アクセス端末の現在アクティブなネットワーク接続ポイントとして機能し、
前記短アドレスは、前記アクセス端末にとって前記アクセスポイントの位置において固有のものである、
請求項４２に記載の方法。
【請求項４４】
プロセッサを備える装置であって、
前記プロセッサは、
遠隔装置を識別するためにアクセス端末によって使用される短アドレスと、前記遠隔装置を識別するためにアクセスポイントによって使用される長アドレスとの間のマッピングを示すメッセージを、前記アクセスポイントへ通信し；
エアリンク上で前記遠隔装置へ通信されるべき情報を、前記遠隔装置に対応する前記短アドレスで前記アクセスポイントへ送信する；
ように構成され、
前記マッピング情報のメッセージは、前記アクセスポイントが、前記遠隔装置への情報の通信において使用するために前記短アドレスに基づいて前記長アドレスを決定することを可能にし、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記アクセス端末が前記マッピング情報メッセージを前記異なるアクセスポイントに送信し、次いで前記異なるアクセスポイントがそのマッピング情報メッセージを前記レイヤ２トンネルを介して前記アクセスポイントに送信する、
装置。
【請求項４５】
前記プロセッサは、
前記短アドレスおよび長アドレス間をマッピングする情報を前記アクセス端末内に含まれるデータベース内に記憶する
ようにさらに構成されている、
請求項４４に記載の装置。
【請求項４６】
前記プロセッサは、
マッピングを示す前記メッセージを通信する前に、前記長アドレスの短縮されたバージョンである前記短アドレスを前記長アドレスから生成する、
ようにさらに構成されている、
請求項４５に記載の装置。
【請求項４７】
前記長アドレスは、レイヤ２トンネルを通して前記アクセスポイントと前記遠隔装置との間でパケットを通信するために使用されるＩＰアドレスである、請求項４６に記載の装置。
【請求項４８】
前記遠隔装置は、遠隔アクセスポイントである、請求項４７に記載の装置。
【請求項４９】
他の通信装置と通信する方法を実施するためにアクセス端末を制御するための機械実行可能な命令を具現化する非一時的コンピュータ読み出し可能記憶媒体であって、前記方法は、
アクセスポイントへ、遠隔装置を識別するために前記アクセス端末によって使用される短アドレスおよび前記遠隔装置を識別するために前記アクセスポイントによって使用される長アドレス間のマッピングを示すメッセージを、通信することと；
エアリンク上で前記遠隔装置へ通信されるべき情報を前記遠隔装置に対応する前記短アドレスで前記アクセスポイントへ送信することと；
を備え、
前記マッピング情報のメッセージは、前記アクセスポイントに、情報を前記遠隔装置へ通信するのに使用するために、前記短アドレスに基づいて、前記長アドレスを決定することを可能にし、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記アクセス端末が前記マッピング情報メッセージを前記異なるアクセスポイントに送信し、次いで前記異なるアクセスポイントがそのマッピング情報メッセージを前記レイヤ２トンネルを介して前記アクセスポイントに送信する、
非一時的コンピュータ読み出し可能記憶媒体。
【請求項５０】
アクセス端末を動作させて、情報を遠隔装置からアクセスポイントを通して受信する方法であって、
前記遠隔装置に対応する短アドレスと前記遠隔装置からの情報とを含むパケットを、前記アクセスポイントから受信することと；
前記遠隔装置を一意に識別する長アドレスに前記短アドレスをマッピングすることによって前記情報を提供した前記遠隔装置を識別することと、なお、前記長アドレスは、前記短アドレスよりも多いビットを含む；
を備え、
前記短アドレスおよび前記長アドレスは、前記遠隔装置を独立して識別し、前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセスポイントから受信され、次いで前記アクセス端末においてそのパケットが前記異なるアクセスポイントから前記レイヤ２トンネルを介して受信される、
方法。
【請求項５１】
前記情報を提供した前記遠隔装置を識別することは、
前記短アドレスおよび長アドレス間をマッピングする情報を含む前記アクセス端末内のデータベースにアクセスすること、
を含む、
請求項５０に記載の方法。
【請求項５２】
前記パケットを受信する前に、前記短アドレスおよび長アドレス間のマッピングを示すメッセージを前記アクセスポイントへ通信すること、
をさらに備える請求項５１に記載の方法。
【請求項５３】
前記メッセージを通信する前に、前記短アドレスを前記長アドレスから生成すること、をさらに備え、前記短アドレスは、前記長アドレスの短縮されたバージョンである、請求項５２に記載の方法。
【請求項５４】
前記長アドレスは、レイヤ２トンネルを通して前記アクセスポイントと前記遠隔装置との間でパケットを通信するために使用されるＩＰアドレスである、請求項５２に記載の方法。
【請求項５５】
前記遠隔装置は、遠隔アクセスポイントである、請求項５４に記載の方法。
【請求項５６】
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記短アドレスは、前記アクセス端末にとって前記アクセスポイントの位置において固有のものである、
請求項５５に記載の方法。
【請求項５７】
遠隔装置に対応する短アドレスと前記遠隔装置からの情報とを含むパケットをアクセスポイントから受信し；
前記遠隔装置を一意に識別する、前記短アドレスよりも多いビットを含む長アドレスに、前記短アドレスをマッピングすることによって、前記情報を提供した前記遠隔装置を識別する；
ように構成され、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセスポイントから受信され、次いでアクセス端末においてそのパケットが前記異なるアクセスポイントから前記レイヤ２トンネルを介して受信される、
プロセッサ、
を備える装置。
【請求項５８】
前記プロセッサは、前記情報を提供した前記遠隔装置を識別する際に、
前記短アドレスおよび長アドレス間をマッピングする情報を含むアクセス端末内のデータベースにアクセスする、
ようにさらに構成されている、
請求項５７に記載の装置。
【請求項５９】
前記プロセッサは、前記パケットを受信する前に、前記短アドレスおよび長アドレス間のマッピングを示すメッセージを前記アクセスポイントへ通信する、
ようにさらに構成されている、
請求項５８に記載の装置。
【請求項６０】
前記長アドレスは、レイヤ２トンネルを通して前記アクセスポイントと前記遠隔装置との間でパケットを通信するために使用されるＩＰアドレスである、請求項５９に記載の装置。
【請求項６１】
前記遠隔装置は、遠隔アクセスポイントである、請求項６０に記載の装置。
【請求項６２】
他の通信装置と通信する方法を実施するためにアクセス端末を制御するための機械実行可能な命令を具現化する非一時的コンピュータ読み出し可能記憶媒体であって、前記方法は、
遠隔装置に対応する短アドレスと前記遠隔装置からの情報とを含むパケットをアクセスポイントから受信することと、
前記遠隔装置を一意に識別する、前記短アドレスよりも多いビットを含む長アドレスに、前記短アドレスをマッピングすることによって、前記情報を提供した前記遠隔装置を識別することと、
を備え、なお、前記短アドレスおよび前記長アドレスは、前記遠隔装置を独立して識別し、前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記異なるアクセスポイントにおいて前記パケットが前記アクセスポイントから受信され、次いで前記アクセス端末においてそのパケットが前記異なるアクセスポイントから前記レイヤ２トンネルを介して受信される、
非一時的コンピュータ読み出し可能記憶媒体。
【請求項６３】
情報を遠隔装置へアクセスポイントを通して通信するためのアクセス端末であって、
前記遠隔装置を識別するために前記アクセス端末によって使用される短アドレスおよび前記遠隔装置を識別するために前記アクセスポイントによって使用される長アドレス間のマッピングを示すメッセージ、を生成するためのマッピングメッセージ生成モジュールと；
前記遠隔装置に対するデータパケットを生成するためのパケット生成モジュールと、なお、前記パケットは、前記遠隔装置を識別するために前記アクセス端末によって使用される短アドレスと、前記遠隔装置へ通信されるべき情報とを含む；
前記のマッピング情報メッセージと生成されたパケットとを前記アクセスポイントへ送信するための無線送信器と；
を備え、
前記マッピングの情報メッセージは、前記アクセスポイントが、前記遠隔装置への情報の通信において使用するために前記短アドレスに基づいて前記長アドレスを決定することを、可能にし、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記アクセス端末が前記マッピング情報メッセージを前記異なるアクセスポイントに送信し、次いで前記異なるアクセスポイントがそのマッピング情報メッセージを前記レイヤ２トンネルを介して前記アクセスポイントに送信する、
アクセス端末。
【請求項６４】
前記短アドレスおよび長アドレス間をマッピングする情報を含むデータベース、
をさらに備える請求項６３に記載のアクセス端末。
【請求項６５】
長アドレスを短縮して、そこから対応する短アドレスを生成するための、短アドレス生成モジュール、
をさらに備える請求項６４に記載のアクセス端末。
【請求項６６】
前記長アドレスは、レイヤ２トンネルを通して前記アクセスポイントと前記遠隔装置との間でパケットを通信するために使用されるＩＰアドレスである、請求項６５に記載のアクセス端末。
【請求項６７】
前記遠隔装置は、遠隔アクセスポイントである、請求項６６に記載のアクセス端末。
【請求項６８】
前記遠隔アクセスポイントは、前記アクセス端末のアクティブなネットワーク接続ポイントとして以前に機能し、
前記アクセスポイントは、前記アクセス端末の現在アクティブなネットワーク接続ポイントとして機能し、
前記短アドレスは、前記アクセス端末にとって前記アクセスポイントの位置において固有のものである、
請求項６７に記載のアクセス端末。
【請求項６９】
前記遠隔装置に対応する短アドレスと前記遠隔装置からの情報とを含むパケットを、前記アクセスポイントから受信するための無線受信器と、
前記アクセスポイントと前記遠隔装置とを含むシステムにおいて、前記遠隔装置を一意に識別する、前記短アドレスより長いアドレスに、前記短アドレスをマッピングすることによって、前記無線受信器によって受信される前記パケット内に含まれる前記情報を提供した前記遠隔装置を識別するための遠隔装置識別モジュールと、
をさらに備える請求項６３に記載のアクセス端末。
【請求項７０】
情報を遠隔装置へアクセスポイントを通して通信するためのアクセス端末であって、
前記遠隔装置を識別するために前記アクセス端末によって使用される短アドレスおよび前記遠隔装置を識別するために前記アクセスポイントによって使用される長アドレス間のマッピングを示すメッセージを生成するためのマッピングメッセージ生成手段と；
前記遠隔装置に対するデータパケットを生成するためのパケット生成手段と、なお、前記パケットは、前記遠隔装置を識別するために前記アクセス端末によって使用される短アドレスと前記遠隔装置へ通信されるべき情報とを含む；
前記マッピング情報メッセージと生成されたパケットとを、前記アクセスポイントへ送信するための手段と；
を備え、
前記マッピングの情報メッセージは、前記アクセスポイントに、前記遠隔装置への情報の通信において使用するために前記短アドレスに基づいて前記長アドレスを決定することを可能にし、
前記短アドレスおよび前記長アドレスは、前記遠隔装置を独立して識別し、
前記短アドレスは、前記長アドレスの一部を含み、かつＭＡＣアドレスともＩｐｖ４アドレスとも異なり、
複数のアクセスポイントは、レイヤ２トンネル上でデータを交換することができ、前記アクセスポイントとは異なるアクセスポイントが担当アクセスポイントである場合、前記アクセス端末が前記マッピング情報メッセージを前記異なるアクセスポイントに送信し、次いで前記異なるアクセスポイントがそのマッピング情報メッセージを前記レイヤ２トンネルを介して前記アクセスポイントに送信する、
アクセス端末。
【発明の詳細な説明】
【関連出願】
【０００１】
本願は、２００６年６月７日に出願され、「Ｌ２ＴＰトンネリングのための方法および装置(A METHOD AND APPARATUS FOR L2TP TUNNELING)」と題された米国特許仮出願第６０／８１２０１１号、および、２００６年６月７日に出願され、「多重アクセスポイントをアドレス指定するための方法および装置(A METHOD AND APPARATUS FOR ADDRESSING MULTIPLE ACCESS POINTS)」と題された米国特許仮出願第６０／８１２０１２号、の利益を主張するものであり、それらの各々は、参照によってここに明示的に組み込まれる。
【分野】
【０００２】
本発明は、通信のための方法および装置を対象としており、より具体的には、パケットのルーティング(routing)に関連する方法および装置に関する。
【背景】
【０００３】
無線通信システムは、複数のアクセスポイント(access points)（ＡＰs）、および／または、例えば移動または他のエンドノード装置などの他のネットワーク要素に加えて他のネットワーク要素を含むことが多い。多くの場合、アクセス端末は、通常、無線通信リンクを介してアクセスポイントと通信し、例えばＡＰsなどのネットワーク内の他の要素は、一般的には、例えばファイバ、ケーブル、または有線リンクなどの非エアリンク(airlink)を介して通信する。エアリンクの場合には、帯域幅は、貴重な制約付きのリソース（valuable constrained resource）である。したがって、エアリンク上の通信は、過度のオーバヘッドのない効率的なやり方で行われるのが望ましい。
【０００４】
アクセスポイントおよび／または他のネットワーク装置間の通信リンクは、アクセス端末とアクセスポイントとの間のエアリンクよりも、帯域幅の観点から、より制約が少ないことが多い。したがって、アドレス長および／または他の情報について、より多くのオーバヘッドがエアリンク上よりもバックホール(backhaul)リンク上では許容可能な場合がある。
【０００５】
ＩＰ(Internet Protocol)（インターネットプロトコル）アドレスは、ネットワークにおいて長年うまく利用されてきているが、かなりの数のビットを含む傾向がある。エアリンク上の通信のためには、より短いアドレス(shorter addresses)がエアリンク上で使用されることができれば望ましいだろう。しかしながら、エアリンク上で使用されるアドレスに対する変更が、他のリンク例えばバックホールリンク(backhaul links)上で、ＩＰアドレスの使用を排除しないこと、が望ましいだろう。
【発明の概要】
【０００６】
アクセス端末(access terminal)（ＡＴ）と遠隔装置(remote device)との間をアクセスポイント(access point)（ＡＰ）を介して通信するための方法および装置が説明されている。エアリンク上の通信のために、ＡＰとＡＴとの間では、遠隔装置へ／からパケットをルーティングする(routing)ために、遠隔装置に対応する短アドレス(short address)が使用される。これにより、エアリンクリソースが節約される(conserves)。しかしながら、ＡＰと遠隔装置との間では、例えば遠隔装置に対応する完全なＩＰアドレス(full IP address)などのより長いアドレス(longer address)が使用される。ＡＴは、例えばパケットなどの情報が遠隔装置とＡＴとの間で通信されるときに、長アドレスおよび短アドレス間(between the long and short addresses)で変換を行う。長アドレス(long address)は、例えば、レイヤ２トンネル(Layer 2 tunnel)を通して遠隔装置とＡＰとの間でパケットをルーティングするために使用される遠隔装置に対応するＩＰアドレスであってもよい。ある実施形態においては、遠隔装置は、遠隔アクセスポイントである。遠隔装置に対する短アドレスは、ある実施形態においては、遠隔装置に対応する完全なＩＰアドレスの短縮されたバージョン(shortened version)である。しかしながら、短アドレスは、レイヤ２トンネルにおいて使用されるＩＰアドレスの短縮されたバージョンである必要はなく、遠隔装置の長い、例えば完全長などのＩＰアドレスに対応するように割り当てられてはいるが、長アドレスよりも少ないビットを有する任意のアドレスであってもよい。ある実施形態においては、遠隔装置と通信しているＡＴは、所定の長アドレスについて、エアリンク上で使用されるべき短アドレスを、ＡＰに示すための役割を果たす(responsible for)。これは、特定の長アドレスがＡＴによって供給された特定の短アドレスにマッピングすることを示す信号、例えばメッセージを、ＡＴが送出すること(sending)によって行われてもよい。長アドレスおよび短アドレス間のマッピング(mapping between the long and short addresses)を実施するために、ＡＰは、マッピング情報を記憶する。遠隔装置に対応する長アドレスを含む、例えばトンネリングされた(tunneled)パケットなどのパケットを受信する場合、ＡＰは、ルックアップテーブルから対応する短アドレスを決定する。その後、ＡＰは、パケットペイロードを、遠隔装置の短アドレスを遠隔装置の長アドレスの代わりに使用してＡＴへ送信する。このようにして、パケットペイロードはＡＴへ通信され、送信者は、完全な長アドレスとは対照的に短アドレスを使用して識別される(identified)。
【０００７】
ＡＴは、長アドレスおよび短アドレス間のマッピングを知っており、パケットペイロードの元のソースを識別することができる。遠隔装置に向けられたパケットについては、ＡＴは、遠隔装置の短アドレスで(with the short address)パケットペイロードをＡＰへ送出する。その後、ＡＰは、短アドレスをルックアップし、それを長い例えば完全なＩＰアドレスで置換し、その後、遠隔装置の長アドレスを使用してパケットペイロードを遠隔装置へ転送して、送出されているパケットの宛て先を示す。このようにして、ＡＴは、長アドレスをエアリンク上でＡＴおよびＡＰ間で使用した場合に必要とされたであろうパケット内容の所期の宛て先として遠隔装置を識別するために、より少ないビットを使用してエアリンク上を通信することができる。
【０００８】
アクセスポイントを動作させて(operating)、情報をアクセス端末へ通信する方法の一例は、ある実施形態によれば、長アドレスと通信されるべき情報とを含むパケットを、遠隔装置から受信すること(receiving)と；通信リンク上で通信するために使用される、長アドレスに対応する、長アドレスよりも少ないビットを含む短アドレスを決定すること(determining)と；通信されるべき情報を短アドレスでアクセス端末へ送信すること(transmitting)と；を備える。アクセスポイントを動作させて、情報を遠隔装置へ通信する方法の他の例は、ある実施形態によれば、短アドレスと遠隔装置へ通信されるべき情報とを含むパケットをアクセス端末から受信することと；情報を遠隔装置へ通信するために使用されるべき、短アドレスに対応する、短アドレスよりも多いビットを含む長アドレスを決定することと；通信されるべき情報を長アドレスで(with the long address)遠隔装置へ送出することと；を備える。情報をアクセス端末へ通信するためのアクセスポイントの一例は、長アドレスと通信されるべき情報とを含むパケットを、遠隔装置からネットワーク接続を介して受信するためのネットワークインターフェース(network interface)と；長アドレスに対応し、無線通信リンク上で使用され、長アドレスよりも少ないビットを含む短アドレスを決定するための、長アドレスから短アドレスへのマッピングモジュール(long address to short address mapping module)と；短アドレスと通信されるべき情報とを含むパケットを生成するためのダウンリンクパケット生成モジュール(downlink packet generation module)と；無線通信リンク上でダウンリンクパケットを送信するための無線送信器(wireless transmitter)と；を備える。
【０００９】
アクセス端末を動作させて、情報を遠隔装置へアクセスポイントを介して通信する方法の一例は、ある実施形態によれば、遠隔装置を識別するためにアクセス端末によって使用される短アドレスおよび遠隔装置を識別するためにアクセスポイントによって使用される長アドレス間のマッピングを示すメッセージをアクセスポイントへ通信すること(communicating)と；エアリンク上で遠隔装置へ通信されるべき情報を遠隔装置に対応する短アドレスでアクセスポイントへ送信すること(transmitting)と；を備える。アクセス端末を動作させて、情報を遠隔装置へアクセスポイントを介して通信する方法の他の例は、ある実施形態によれば、遠隔装置を識別するためにアクセス端末によって使用される短アドレスおよび遠隔装置を識別するためにアクセスポイントによって使用される長アドレス間のマッピング(mapping between a short address used by said access terminal to identify the remote device and a long address used by said access point to identify said remote device)を示すメッセージをアクセスポイントへ通信することと；エアリンク上で遠隔装置へ通信されるべき情報を遠隔装置に対応する短アドレスでアクセスポイントへ送信することと；を備える。情報を遠隔装置へアクセスポイントを通して通信するためのアクセス端末の一例は、遠隔装置を識別するためにアクセス端末によって使用される短アドレスおよび遠隔装置を識別するためにアクセスポイントによって使用される長アドレス間のマッピングを示すメッセージを生成するためのマッピングメッセージ生成モジュール(mapping message generation module)と；遠隔装置を識別するためにアクセス端末によって使用される短アドレスと遠隔装置へ通信されるべき情報とを含む、遠隔装置に対するデータパケットを生成するためのパケット生成モジュール(packet generation module)と；マッピング情報メッセージと生成されたパケットとをアクセスポイントへ送信するための無線送信器(wireless transmitter)と；を備える。
【００１０】
様々な実施形態を上記概要(summary)において説明してきたが、必ずしもすべての実施形態が同一の特徴を含むものではなく、上述の特徴のいくつかは必要ではないがある実施形態には望ましいことが理解されるべきである。数多くのさらなる特徴、実施形態、および利点が、以下の詳細な説明において説明されている。
【図面の簡単な説明】
【００１１】
【図１】図１は、一実施形態に従う多重アクセス無線通信システムを示す。
【図２】図２は、例示的な通信システムのブロック図を示す。
【図３】図３は、分散アクセスネットワーク（ＡＮ）アーキテクチャとアクセス端末（ＡＴ）とを含んでいる例示的なネットワークを示す。
【図４】図４は、集中ＡＮアーキテクチャとＡＴとを含んでいる例示的なネットワークを示す。
【図５】図５は、アクセス端末へ情報を通信するためにアクセスポイントを動作させる例示的な方法の流れ図である。
【図６】図６は、例えば遠隔アクセスポイントなどの遠隔装置へ情報を通信するためにアクセスポイントを動作させる例示的な方法の流れ図である。
【図７】図７は、様々な実施形態に従う例示的なアクセスポイントの図である。
【図８】図８は、アクセスポイントを通して情報を遠隔装置へ通信するためにアクセス端末を動作させる例示的な方法の流れ図である。
【図９】図９は、アクセスポイントを通して遠隔装置から情報を受信するためにアクセス端末を動作させる例示的な方法の流れ図である。
【図１０】図１０は、様々な実施形態に従う例示的なアクセス端末の図である。
【詳細な説明】
【００１２】
無線通信システムは、音声やデータなどの様々な通信内容を提供するために幅広く導入されている。これらのシステムは、利用可能なシステムリソース（例えば、帯域幅および送信パワー）を共有することによって複数のユーザとの通信をサポートすることが可能な多重アクセスシステムである場合がある。そのような多重アクセスシステムの例は、ワイマックス(World Interoperability for Microwave Access)（ＷｉＭＡＸ）、赤外線データ協会(Infrared Data Association)（ＩｒＤＡ)などの赤外線プロトコル、短距離無線プロトコル／技術、ブルートゥース(Bluetooth)（登録商標）技術、ジグビー(ZigBee)（登録商標）プロトコル、超広帯域(ultra wide band)（ＵＷＢ）プロトコル、家庭用無線周波数(home radio frequency)（ＨｏｍｅＲＦ)、共有無線アクセスプロトコル(shared wireless access protocol)（ＳＷＡＰ）、無線イーサネット(登録商標)互換性アライアンス(wireless Ethernet（登録商標） compatibility alliance)（ＷＥＣＡ)などの広帯域技術、無線フィデリティアライアンス(wireless fidelity alliance)（Ｗｉ−Ｆｉ  Ａｌｌｉａｎｃｅ）、８０２．１１ネットワーク技術、公衆交換電話ネットワーク技術、インターネットなどの公衆異機種通信ネットワーク技術、構内無線通信ネットワーク、陸上移動無線ネットワーク、符号分割多重アクセス(code division multiple access)（ＣＤＭＡ）、広帯域符号分割多重アクセス(wideband code division multiple access)（ＷＣＤＭＡ）、ユニバーサル移動電話通信システム(universal mobile telecommunications system)（ＵＭＴＳ）、先進移動電話サービス(advanced mobile phone service)（ＡＭＰＳ）、時分割多重アクセス(time division multiple access)（ＴＤＭＡ）、周波数分割多重アクセス(frequency division multiple access)（ＦＤＭＡ）、直交周波数分割多重アクセス(orthogonal frequency division multiple access)（ＯＦＤＭＡ）、移動通信のためのグローバルシステム(global system for mobile communications)（ＧＳＭ（登録商標））、単一キャリア(single carrier)（１Ｘ）無線送信技術(radio transmission technology)（ＲＴＴ）、ＥＶ−ＤＯ(evolution data only)技術、一般的なパケット無線サービス(general packet radio service)（ＧＰＲＳ）、拡張データＧＳＭ環境（enhanced data GSM environment)（ＥＤＧＥ）、高速ダウンリンクデータパケットアクセス(high speed downlink data packet access)（ＨＳＰＤＡ）、アナログおよびデジタル衛星システム、および無線通信ネットワークおよびデータ通信ネットワークのうちの少なくとも１つにおいて使用されるような任意の他の技術／プロトコルを含む。
【００１３】
一般的には、無線多重アクセス通信システムは、複数の無線端末のための通信を同時にサポートすることができる。各端末は、順方向および逆方向リンク上での通信を介して１つ以上の基地局と通信する。順方向リンク（またはダウンリンク）は、基地局から端末への通信リンクのことを指し、逆方向リンク（またはアップリンク）は、端末から基地局への通信リンクのことを指す。この通信リンクは、単入力単出力(single-in-single-out)、多入力信号出力（multiple-in-signal-out）、また多入力多出力（multiple-in-multiple-out）（ＭＩＭＯ）システムを介して確立されてもよい。
【００１４】
図１を参照すると、一実施形態に係る多重アクセス無線通信システムが示されている。アクセスポイント１００（ＡＰ）は、複数のアンテナ群を含み、あるものは１０４および１０６を含み、他のものは１０８および１１０を含み、さらなるものは１１２および１１４を含む。図１において、アンテナ群毎に２つのアンテナだけが示されているが、それよりも多いか、または少ないアンテナがアンテナ群毎に利用されてもよい。アクセス端末１１６（ＡＴ）は、アンテナ１１２および１１４と通信中であり、アンテナ１１２および１１４は、情報を順方向リンク１２０を介してアクセス端末１１６へ送信し、情報を逆方向リンク１１８を介してアクセス端末１１６から受信する。アクセス端末１２２は、アンテナ１０６および１０８と通信中であり、アンテナ１０６および１０８は情報をアクセス端末１２２へ順方向リンク１２６上で送信し、情報をアクセス端末１２２から逆方向リンク１２４を介して受信する。ＦＤＤシステムにおいて、通信リンク１１８，１２０，１２４，および１２６は、通信のために互いに異なる周波数を使用してもよい。例えば、順方向リンク１２０は、逆方向リンク１１８によって使用されるのとは異なる周波数を使用してもよい。
【００１５】
アンテナの各群および／またはそれらが通信するように設計された領域は、アクセスポイントのセクタと称されることが多い。実施形態において、アンテナ群は、それぞれ、アクセスポイント１００によってカバーされる領域のセクタ内の端末にアクセスするために通信するように設計される。
【００１６】
順方向リンク１２０および１２６上での通信において、アクセスポイント１００の送信アンテナは、互いに異なるアクセス端末１１６および１２２についての順方向リンクのＳＮ比を改善するために、ビーム形成を利用する。また、アクセスポイントがビーム形成を使用してその範囲内にランダムに散乱されたアクセス端末へ送信すると、単一のアンテナを通してそのすべてのアクセス端末へ送信するアクセスポイントよりも、隣接セル内の端末にアクセスするのに生じる干渉は少ない。
【００１７】
アクセスポイントは、端末と通信するために使用される固定局であってもよく、また、アクセスノード、ノードＢ、基地局、または何らかの他の用語で称されてもよい。また、アクセスノード端末は、アクセス装置、ユーザ装置(user equipment)（ＵＥ）、無線通信装置、端末、無線端末、移動端末、移動ノード、エンドノード、または何らかの他の用語で称されてもよい。
【００１８】
図２は、ＭＩＭＯシステム２００におけるアクセスポイントの例２１０とアクセス端末の例２５０の一実施形態のブロック図である。アクセスポイント２１０において、数多くのデータストリームについてのトラフィックデータが、データソース２１２から送信（ＴＸ）データプロセッサ２１４へ提供される。
【００１９】
一実施形態において、各データストリームは、それぞれの送信アンテナ上を送信される。ＴＸデータプロセッサ２１４は、データストリーム毎に、当該データストリームのために選択された特定の符号化手法に基づいて、トラフィックデータをフォーマット、符号化、およびインターリーブして、符号化されたデータを提供する。
【００２０】
データストリーム毎に符号化されたデータは、ＯＦＤＭ技術を使用してパイロットデータで多重化されてもよい。パイロットデータは、典型的には、既知の手法で処理される既知のデータパターンであって、チャンネル応答を推定するために受信器システムにおいて使用されてもよい。データストリーム毎の多重化されたパイロットデータおよび符号化されたデータは、その後、当該データストリームのために選択された特定の変調手法（例えば、ＢＰＳＫ，ＱＳＰＫ，Ｍ−ＰＳＫ，またはＭ−ＱＡＭ）に基づいて変調されて（すなわち、シンボルがマッピングされて）、変調シンボルを提供する。データストリーム毎のデータレート、符号化、および変調は、プロセッサ２３０によって行われた命令によって決定されてもよい。
【００２１】
データストリーム毎の変調シンボルは、その後、ＴＸ  ＭＩＭＯプロセッサ２２０へ提供され、そこで（例えばＯＦＤＭ用に）変調シンボルをさらに処理してもよい。ＴＸ  ＭＩＭＯプロセッサ２２０は、その後、ＮＴ変調シンボルストリームをＮＴ送信器(transmitters)（ＴＭＴＲ）２２２ａ〜２２２ｔへ提供する。ある実施形態において、ＴＸ  ＭＩＭＯプロセッサ２２０は、ビーム形成重みをデータストリームのシンボルと、シンボルが送信されているアンテナとに適用する。
【００２２】
各送信器（２２２ａ，．．．，２２２ｔ）は、各シンボルストリームを受信および処理して、１つ以上のアナログ信号を提供し、さらに当該アナログ信号を調整（増幅、フィルタリング、およびアップコンバート）して、ＭＩＭＯチャンネル上での送信に適した変調された信号を提供する。送信器２２２ａ〜２２２ｔからのＮＴ変調された信号は、その後、それぞれＮＴアンテナ２２２ａ〜２２２ｔから送信される。
【００２３】
アクセス端末２５０において、送信された変調済みの信号は、ＮＲアンテナ２５２ａ〜２５２ｒによって受信され、各アンテナ２５２からの受信された信号は、各受信器(receiver)（ＲＣＶＲ）２５４ａ〜２５４ｒへ提供される。各受信器（２５４ａ，．．．，２５４ｒ）は、各受信信号を調整（例えば、フィルタリング、増幅、およびダウンコンバート）し、調整された信号をデジタル化してサンプルを提供し、さらに当該サンプルを処理して対応する「受信された」シンボルストリームを提供する。
【００２４】
ＲＸデータプロセッサ２６０は、その後、特定の受信器処理技術に基づいて、ＮＲ受信器（２５４ａ，．．．，２５４ｒ）からのＮＲ受信されたシンボルストリームを受信および処理して、ＮＴ「検出された」シンボルストリームを提供する。ＲＸデータプロセッサ２６０は、その後、各検出されたシンボルストリームを復調、デインターリーブ、および復号して、データストリームについてのトラフィックデータを回復する。ＲＸデータプロセッサ２６０による処理は、送信システム２１０におけるＴＸ  ＭＩＭＯプロセッサ２２０およびＴＸデータプロセッサ２１４による処理を補足するものである。
【００２５】
プロセッサ２７０は、どのプレ符号化マトリクスを使用するかを周期的に決定する（後述）。プロセッサ２７０は、マトリクスインデックス部と、ランク値部とを備える逆リンクメッセージを構築する。
【００２６】
逆リンクメッセージは、通信リンクおよび／または受信されたデータストリームに関する様々な種類の情報を備えてもよい。逆リンクメッセージは、その後、ＴＸデータプロセッサ２３８によって処理され、ＴＸデータプロセッサ２３８は、データソース２３６からの数多くのデータストリームについてのトラフィックデータを受信する。逆リンクメッセージは、変調器２８０によって変調され、送信器２５４ａ〜２５４ｒによって調整され、アンテナ（２５２ａ，２５２ｒ）をそれぞれ介してアクセスポイント２１０へ戻される。
【００２７】
アクセスポイント２１０において、アクセス端末２５０からの変調された信号がアンテナ２２４によって受信され、受信器２２２によって調整され、復調器２４０によって復調され、ＲＸデータプロセッサ２４２によって処理されて、受信器システム２５０によって送信された逆リンクメッセージを抽出する。プロセッサ２３０は、その後、ビーム形成重みを決定するためにどのプレ符号化マトリクスを使用するかを決定して、抽出されたメッセージを処理する。
【００２８】
メモリ２３２は、ルーチンと、データ／情報とを含む。プロセッサ２３０，２２０および／または２４２は、ルーチンを実行し、メモリ２３２内のデータ／情報を使用して、アクセスポイント２１０の動作を制御して方法を実施する。メモリ２７２は、ルーチンと、データ／情報とを含む。プロセッサ２７０，２６０，および／または２３８は、ルーチンを実行し、メモリ２７２内のデータ／情報を使用し、アクセス端末２５０の動作を制御して方法を実施する。
【００２９】
ある局面において、無線アクセスネットワークにおけるバックホールアクセスネットワーク要素間の通信プロトコルを著しく簡素化するとともに、高速に変化する無線条件においてＶＯＩＰなどの待ち時間の少ないアプリケーションの要請に対応するための高速ハンドオフを提供するために、ＳｉｍｐｌｅＲＡＮが設計される。
【００３０】
ある局面において、ネットワークは、アクセス端末（ＡＴ）と、アクセスネットワーク(access network)（ＡＮ）とを備える。
【００３１】
ＡＮは、集中配備および分散配備の両方をサポートする。集中配備および分散配備のためのネットワークアーキテクチャは、図３および図４にそれぞれ示されている。
【００３２】
図３は、分散ＡＮ３０２とＡＴ３０３とを含むネットワーク例３００を示す。
【００３３】
分散ネットワークアーキテクチャ(Distributed Network Architecture)
図３に示す分散アーキテクチャにおいて、ＡＮ３０２は、アクセスポイント（ＡＰ）と、ホームエージェント(home agent)（ＨＡ）とを備える。ＡＮ３０２は、複数のアクセスポイント（ＡＰａ３０４，ＡＰｂ３０６，ＡＰｃ３０８）と、ホームエージェント３１０とを含む。加えて、ＡＮ３０２は、ＩＰクラウド(IP cloud)３１２を含む。ＡＰ（３０４，３０６，３０８）は、それぞれリンク（３１４，３１６，３１８）を介してＩＰクラウドに結合される。ＩＰクラウド３１２は、リンク３２０を介してＨＡ３１０に結合される。
【００３４】
ＡＰは次のものを含む：
ネットワーク機能(Network function)（ＮＦ）：
○１つのＡＰにつき１つであって、複数のＮＦは、単一のＡＴとしての役割を果たし得る。  
○単一のＮＦは、ＡＴ毎のＩＰ層接続ポイント(IP Layer attachment point)（ＩＡＰ）、すなわち、ＡＴへ送出されたパケットをＨＡが転送する先のＮＦである。図４の例において、ＮＦ３３６は、図４のライン３２２ＡＴ３０３についての現在のＩＡＰである。  
○ＩＡＰは、バックホール上のＡＴへのパケットのルーティングを最適化するために変更（Ｌ３ハンドオフ）してもよい。  
○また、ＩＡＰは、ＡＴについてのセッションマスタの機能も行う（ある実施形態においては、セッションマスタのみがセッション構築またはセッション状態の変更を行うことができる）。  
○ＮＦは、ＡＰ内の各ＴＦについてのコントローラとしての役割を果たし、ＴＦにおけるＡＴについてリソースを割り当て、管理、および分解といった機能を行う。  
トランシーバ機能(Transceiver function)（ＴＦ）またはセクタ：
○１つのＡＰに付き複数であって、複数のＴＦは、単一のＡＴとしての役割を果たし得る。  
○ＡＴに対してエアインターフェース接続(air interface attachment)を提供する。  
○順方向および逆方向リンクについては異なり得る。  
○無線条件に基づいて変更する（Ｌ２ハンドオフ）。
【００３５】
ＡＮ３０２において、ＡＰａ３０４は、ＮＦ３２４と、ＴＦ３２６と、ＴＦ３２８とを含む。ＡＮ３０２において、ＡＰｂ３０６は、ＮＦ３３０と、ＴＦ３３２と、ＴＦ３３４とを含む。ＡＮ３０２において、ＡＰｃ３０８は、ＮＦ３３６と、ＴＦ３３８と、ＴＦ３４０トとを含む。
【００３６】
ＡＴは次のものを含む：
アクティブなセット内のＮＦ毎の移動ノード(mobile node)（ＭＮ）に対して提示されるインターフェースＩ＿ｘと、
アクセス端末においてＩＰ層の移動度をサポートするための移動ノード（ＭＮ）とである。
【００３７】
ＡＰｓは、ＩＰ上で定義されたトンネリングプロトコルを使用して通信する。トンネルは、データプレーンについてはＩＰ−ｉｎ−ＩＰトンネルであり、制御プレーンについてはＬ２ＴＰトンネルである。
【００３８】
ＡＴの例３０３は、複数のインターフェース（Ｉ＿ａ３４２，Ｉ＿ｂ３４４，Ｉ＿ｃ３４６）と、ＭＮ３４８とを含む。ＡＴ３０３は、無線リンク３５０を介してＡＰ＿ａ３０４に結合され得るし、時には実際に結合される。ＡＴ３０３は、無線リンク３５２を介してＡＰ＿ｂ３０６に結合され得るし、時には実際に結合される。ＡＴ３０３は、無線リンク３５４を介してＡＰ＿ｃ３０８に結合され得るし、時には実際に結合される。
【００３９】
図４は、分散ＡＮ４０２とＡＴ４０３とを含むネットワークの例４００を示す。
【００４０】
集中ネットワークアーキテクチャ(Centralized Network Architecture)
図４に示されている集中ネットワークアーキテクチャにおいて、ＮＦは、単一のＴＦとはもはや論理的には関連付けられていないので、ＡＮは、ネットワーク機能と、アクセスポイントと、ホームエージェントとを備える。ＡＮの例４０２は、複数のＮＦｓ（４０４，４０６，４０８）と、複数のＡＰｓ（ＡＰ＿ａ４１０，ＡＰ＿ｂ４１２，ＡＰ＿ｃ４１４）と、ＨＡ４１６と、ＩＰクラウド４１８とを含む。ＮＦ４０４は、ＩＰクラウド４１８にリンク４２０を介して結合される。ＮＦ４０６は、ＩＰクラウド４１８にリンク４２２を介して結合される。ＮＦ４０８は、ＩＰクラウド４１８にリンク４２４を介して結合される。ＩＰクラウド４１８は、ＨＡ４１６にリンク４２６を介して結合される。ＮＦ４０４は、（ＡＰ＿ａ４１０，ＡＰ＿ｂ４１２，ＡＰ＿ｃ４１４）にリンク（４２８，４３０，４３２）をそれぞれ介して結合される。ＮＦ４０６は、（ＡＰ＿ａ４１０，ＡＰ＿ｂ４１２，ＡＰ＿ｃ４１４）にリンク（４３４，４３６，４３８）をそれぞれ介して結合される。ＮＦ４０８は、（ＡＰ＿ａ４１０，ＡＰ＿ｂ４１２，ＡＰ＿ｃ４１４）にリンク（４４０，４４２，４４４）をそれぞれ介して結合される。
【００４１】
ＡＰａ＿４１０は、ＴＦ４６２と、ＴＦ４６４とを含む。ＡＰ＿ｂ４１２は、ＴＦ４６６と、ＴＦ４６８とを含む。ＡＰｃ＿４１４は、ＴＦ４７０と、ＴＦ４７２とを含む。
【００４２】
ＮＦはＴＦのためのコントローラとして働き、多くのＮＦｓが単一のＴＦに論理的に関連付けられることができるので、ＡＴのためのＮＦコントローラ、すなわちアクティブなセットとしてＡＴと通信するＮＦは、当該ＡＴにおけるＴＦについてのリソースを割り当て、管理、および分解する機能を行う。したがって、複数のＮＦｓは、単一のＴＦにおいて独立して(independently)管理されるリソースであっても、これらを単一のＴＦで制御してもよい。図４の例において、ＮＦ４０８は、ライン４６０によって示されるように、ＡＴ４０３のためのＩＡＰとしての役割を果たす。
【００４３】
実施される論理機能のうちの残りについては、分散アーキテクチャにつてと同様である。
【００４４】
ＡＴの例４０３は、複数のインターフェース（Ｉ＿ａ４４６，Ｉ＿ｂ４４８，Ｉ＿ｃ４５０）と、ＭＮ４５２とを含む。ＡＴ４０３は、無線リンク４５４を介してＡＰ＿ａ４１０に結合され得るし、時には実際に結合される。ＡＴ４０３は、無線リンク４５６を介してＡＰ＿ｂ４１２に結合され得るし、時には実際に結合される。ＡＴ４０３は無線リンク４５８を介してＡＰ＿ｃ４１４に結合され得るし、時には実際に結合される。
【００４５】
アクセスおよびアクティブなセットの管理(Access and active set management)
ＤＯおよび８０２．２０などのようなシステムにおいて、ＡＴは、特定のセクタ（ＴＦ）のアクセスチャンネルに対してアクセスを試みることによって、ＡＰからサービスを取得する。アクセスの試みを受けるＴＦに関連付けられたＮＦは、ＡＴのセッションマスタであるＩＡＰに接触して、ＡＴのセッションのコピーを取り出す（ＡＴは、ＵＡＴＩをアクセスペイロード内に含めることによってＩＡＰの正体を示す。ＵＡＴＩは、ＩＡＰを直接アドレス指定するためのＩＰアドレスとして使用されてもよいし、または、ＩＡＰのアドレスをルックアップするために使用されてもよい。）アクセスの試みが成功すると、ＡＴは、当該セクタと通信するために、ＭＡＣ  ＩＤ(Media Access Control Identifier)（媒体アクセス制御識別子）およびデータチャンネルなどのエアインターフェースリソースが割り当てられる。
【００４６】
加えて、ＡＴは、それが聞くことが可能な他のセクタとそれらの信号強度とを示すレポートを送出してもよい。ＴＦは、当該リポートを受信して、それをＮＦ内のネットワークベースのコントローラへ転送し、それによって、ＡＴにアクティブなセットを提供する。今日実施されるようなＤＯおよび８０２．２０のためには、ＡＴが通信できるちょうど１つのＮＦがある（ただし、ＮＦハンドオフ中は、一時的に２つある）。ＡＴと通信するＴＦｓのそれぞれは、受信されたデータおよび信号方式をこの単一のＮＦへ転送することになる。また、このＮＦは、ＡＴについてのネットワークベースコントローラとしての役割を果たし、アクティブなセット内のセクタとともに使用するＡＴについてのリソースの割り当ておよび分解をネゴシエート(negotiating)および管理する役割を担う。
【００４７】
したがって、アクティブなセットは、ＡＴにエアインターフェースリソースが割り当てられているセクタのセットである。ＡＴは、周期的なレポートの送出を継続することになり、ネットワークベースコントローラは、ＡＴがネットワーク内を動き回るにつれてアクティブなセットからセクタを追加または削除してもよい。
【００４８】
また、アクティブなセット内のＮＦｓは、アクティブなセットに参加すると、ＡＴについてのセッションのローカルコピーをフェッチすることになる。セッションは、ＡＴと適切に通信するために必要とされる。
【００４９】
ソフトハンドオフ(soft handoff)を伴うＣＤＭＡエアリンクの場合には、アップリンク上では、アクティブなセット内の各セクタは、ＡＴの送信を復号化しようと試みてもよい。ダウンリンク上では、アクティブなセット内の各セクタは、ＡＴへ同時に送信してもよく、ＡＴは、受信された送信を合成してパケットを復号化する。
【００５０】
ＯＦＤＭＡシステムまたはハンドオフのないシステムの場合には、アクティブなセットの機能は、アクティブなセット内のセクタ間を迅速に切り換えて、新規のアクセスを試みる必要のないサービスをＡＴが維持できるようにすることである。アクセスの試みは、一般的には、アクティブなセットの間のスイッチよりもはるかに遅い。なぜならば、アクティブなセットの部材は、セッションと、エアインターフェースリソースとを、ＡＴに割り当てているからである。したがって、アクティブなアプリケーションのＱｏＳサービスに悪影響を及ぼすことなくハンドオフを行うのに有用である。
【００５１】
ＩＡＰネゴシエート属性内のＡＴおよびセッションマスタ、または代わりに接続状態が変化した場合には、当該属性についての新たな値または新たな状況は、アクティブなセット内の各セクタ内へ適時に分散させて、各セクタからの最適なサービスを確保する必要がある。ある場合には、例えば、ヘッダの型が変化した場合またはセキュリティキーが変化した場合には、ＡＴは、これらの変更が問うがセクタへ伝播されなければセクタと全く通信することができないこともある。よって、アクティブなセットのすべての部材は、セッションが変化すると更新されなければならない。いくつかの変更は、同期することが他よりも重大でなくてもよい。
【００５２】
状態とハンドオフ(State and handoff)
アクティブな接続を有するＡＴについてのネットワークにおいて見受けられる状態またはコンテキストは、主に３つある。
【００５３】
データ状態(Data state)は、ＡＴとＩＡＰとの間のデータパス上のネットワークにおける状態である。データ状態は、非常に動的で転送の困難なヘッダ圧縮器の状態またはＲＬＰフロー状態などを含む。
【００５４】
セッション状態(Session state)は、接続が閉じた場合に保存される、ＡＴとＩＡＰとの間の制御パス上のネットワークにおける状態である。セッション状態は、ＡＴおよびＩＡＰ間でネゴシエートされる属性の値を含む。これらの属性は、接続の特徴と、ＡＴによって受信されるサービスとに影響を与える。例えば、ＡＴが新たなアプリケーションについてＱｏＳ構成ネゴシエートして、新たなフィルタおよびフローの仕様を、当該アプリケーションについてのＱｏＳサービス要件を示すネットワークへ供給してもよい。他の例として、ＡＴは、ＡＮと通信するのに使用されるヘッダのサイズおよび種類をネゴシエートしてもよい。新たなセットの属性のネゴシエーションは、セッション変化として定義される。
【００５５】
接続状態(Connection state)は、ＡＴと、ＩＡＰまたは接続が閉じてＡＴがアイドル状態の場合に保存されないＮＦとの間の制御パス上のネットワークにおける状態である。接続状態は、電力制御ループ値、ソフトハンドオフタイミング、およびアクティブなセットの情報などの情報を含んでもよい。
【００５６】
ＩＡＰまたはＬ３ハンドオフにおいて、これら３種類の状態が古いＩＡＰと新規のＩＡＰとの間で転送される必要があってもよい。アイドル状態のＡＴのみがＬ３ハンドオフを行うことができる場合には、セッション状態のみが転送される必要がある。アクティブなＡＴについてＬ３ハンドオフをサポートするためには、データおよび接続状態も転送される必要があってもよい。
【００５７】
ＤＯおよび８０２．２０のようなシステムは、複数の経路（またはデータスタック）を定義することによって、データ状態のＬ３ハンドオフを簡略化する。そこにおいて、経路毎のデータ状態は、当該経路にとってローカルであり、すなわち、経路はそれぞれ、独立したデータ状態を有する。各ＩＡＰを異なる経路に関連付けることによって、データ状態は、ハンドオフにおいて転送される必要がなくなる。さらによいステップは、生じうるパケットの再順序付けの場合を除き、Ｌ３ハンドオフがデータ状態に対して完全に透過的である異なる経路に各ＮＦを関連付けることである。
【００５８】
データ状態は複数の経路を有するので、アクティブなＡＴについてＬ３ハンドオフをサポートするための次の論理ステップは、ＩＡＰから接続状態の制御を移して、アクティブなセット内の各ＮＦに対してローカルにすることである。これは、制御スタックが独立し取り各ＮＦに対してローカルであるように複数の制御経路（または制御スタック）を定義しかつエアインターフェースを定義することによって行われる。これは、接続状態のリソースの割り当ておよび分割のネゴシエーションおよび管理のいくらかはＡＴへ移管される必要がある場合がある。なぜなら、アクティブなセットのすべての部材を管理する単一のＮＦはもはやないからである。また、ＴＦｓ間の緊密な結合を避けるために、エアインターフェース設計に対する要件を作る場合もある。なぜなら、アクティブなセットにおいて、互いに異なるＴＦｓは、同一のＮＦを共有しない場合もあるからである。例えば、最適な方法で動作するためには、電力制御ループ、ソフトハンドオフなど、同一のＮＦを有しないＴＦｓ間のすべての緊密な同期を除去するのが好ましい。
【００５９】
データおよび接続状態をＮＦｓへプッシュすれば、Ｌ３ハンドオフ上のこの状態を移管する必要はなくなり、ＮＦ間インターフェースもより簡略なものにしなければならない。
【００６０】
したがって、システムは、ＡＴ内の複数の独立したデータおよび制御スタック（図３および図４においてはインターフェースと称される）を定義して必要に応じて互いに異なるＮＦｓと通信すると共に、ＡＴおよびＴＦについてのアドレス指定機構を定義して、これらのスタック間を論理的に区別する。
【００６１】
基本的には、あるセッション状態（ＱｏＳプロファイル、セキュリティキー、属性値など）は、ＮＦ（またはＩＡＰ）に対してローカルにすることができない。なぜならば、ＮＦ（またはＬ３）ハンドオフがあるたびにネゴシエートしては高くつくからである。また、セッション状態は、比較的静的であり、移管しやすい。必要なのは、セッション状態が変化する場合、およびセッションマスタが移動するＩＡＰハンドオフ中に、セッション状態を管理および更新する機構である。
【００６２】
Ｌ３ハンドオフについてセッション状態移管を最適化することは、ネットワークアーキテクチャに関わらずすべてのシステムにとって有用な特徴である。なぜならば、ネットワークインターフェースを簡略化し、ハンドオフのシームレス性を改善することになるからである。
【００６３】
ハンドオフの制御対認識(Control vs. awareness of handoff)
別個ではあるが関連する問題の一つに、Ｌ３ハンドオフのＡＴ制御がある。今日、ＤＯおよび８０２．２０のようなシステムにおいて、ＡＴはローカルスタックを割り当ておよび分割するので、Ｌ３ハンドオフを認識しているが、Ｌ３ハンドオフが生じた場合にそれを管理することができない。これは、ネットワークベースの移動度管理(network-based mobility management)と称される。問題なのは、ＡＴをハンドオフコントローラにするかどうか、すなわち、ＡＴベースの移動管理を使用するかどうかである。
【００６４】
故障許容およびロードバランシングをサポートするためには、ネットワークはハンドオフを行うことができるか、ＡＴがハンドオフを行うように信号で知らせるための機構を有するかのいずれかが必要である。よって、ＡＴベースの移動度管理が使用される場合には、ネットワークは、それがいつ生じることになるかを示す機構がさらに必要となる。
【００６５】
ＡＴベースの移動度管理は、インターおよびイントラ技術、またはグローバルおよびローカル移動度について単一の機構が見込まれるといった、いくつかの明白な利点を有する。また、これは、ネットワーク要素に対していつハンドオフを行うかを決定させる必要がないことによって、ネットワークインターフェースをさらに簡略化するものである。
【００６６】
ＤＯおよび８０２．２０のようなシステムがネットワークベースの移動度を使用する主な理由は、ＡＴベースの移動度は、音声をサポートするほど高速に働くように最適化されないということである。副次的な理由の１つは、ＡＴ内の（ＭＩＰｖ６用の）移動ＩＰトンネルを停止することによって引き起こされるトンネリングオーバヘッドである。移動度の待ち時間(mobility latency)は、現在および以前の順方向リンク担当セクタ(forward link serving sector)間のトンネルを使用してデータを転送すると共に、アクティブなセット内の複数のＮＦへデータを送出するバイキャスティング(bicasting)を恐らく使用することによって解決可能である。
【００６７】
Ｌ２およびＬ３ハンドオフ(L2 and L3 handoff)
ＳｉｍｐｌｅＲＡＮにおいて、２種類のハンドオフがある。
【００６８】
レイヤ２またはＬ２ハンドオフは、順方向または逆方向リンク担当セクタ（ＴＦ）の変更のことを指す。
【００６９】
Ｌ３ハンドオフは、ＩＡＰの変更のことを指し、
Ｌ２ハンドオフは、無線条件の変更に応じて可能な限り迅速でなければならない。ＤＯおよび８０２．２０のようなシステムは、Ｌ２ハンドオフを迅速にするように信号で知らせるＰＨＹ層を使用する。
【００７０】
Ｌ２ハンドオフは、順方向（ＦＬ）または逆方向（ＲＬ）リンクについての担当セクタＴＦの転送である。ハンドオフは、アクティブなセット内で新たな担当セクタを、当該セクタについてのＡＴにおいて見受けられるＲＦ状態に基づいて選択する場合に生じる。ＡＴは、アクティブなセット内のすべてのセクタについての順方向および逆方向リンクについてのＲＦ状態に対して、フィルタリングされた測定を行う。例えば、順方向リンクについての８０２．２０においては、ＡＴは、所望のＦＬ担当セクタを選択するために、取得パイロット、共通パイロットチャンネル（もしあれば）、および共有シグナリングチャンネル上のパイロット上のＳＩＮＲを計測することができる。逆方向リンクについては、ＡＴは、セクタからＡＴへのアップ／ダウン電力制御コマンドに基づいて、ＣＱＩ消去レートをアクティブなセット内のセクタ毎に推定する。
【００７１】
Ｌ２ハンドオフは、異なるＦＬまたはＲＬ担当セクタに逆方向リンク制御チャンネルを介して要求した場合に開始される。ＴＦがＡＴについてのアクティブなセット内に含まれる場合には、専用のリソースがＴＦにおいて割り当てられる。ＴＦは、ハンドオフ要求前にＡＴをサポートするように既に構成されている。対象担当セクタは、ハンドオフ要求を検出して、ＡＴに対するトラフィックリソースの割り当てを伴うハンドオフを完了させる。順方向リンクＴＦハンドオフは、対象ＴＦが送信するデータを受信するために、ソースＴＦまたはＩＡＰと対象ＴＦとの間のメッセージングの往復を要求する。逆リンクＴＦハンドオフでは、対象ＴＦは、ＡＴに対してリソースを直ちに割り当ててもよい。
【００７２】
Ｌ３ハンドオフは、ＩＡＰの転送である。Ｌ３ハンドオフは、新規のＩＡＰによるＨＡ拘束(binding)更新を伴い、制御プレーンについての新たなＩＡＰへのセッション転送を要求する。Ｌ３ハンドオフは、Ｌ２ハンドオフがＭＩＰｖ６ハンドオフシグナリング速度によって制限されないように、システムにおけるＬ２ハンドオフに非同期である。
【００７３】
Ｌ３ハンドオフは、独立した経路を各ＮＦに定義することによって、システム内の無線中でサポートされる。各フローは、より高い層のパケットの送信および受信のための複数の経路を提供する。経路は、どのＮＦがパケットを処理したかを示す。例えば、あるＮＦがＴＦにおいてと、無線では経路Ａとして関連付けられてもよく、他のＮＦは、経路Ｂと関連付けられてもよい。ある担当ＴＦが、それぞれ別個または独立したシーケンス空間を使用して、経路Ａおよび経路Ｂの両方、すなわち両方のＮＦｓからＡＴへパケットを同時に送出できる。
【００７４】
移動体およびそのトラフィックに対するＱｏＳ処理が各ハンドオフモードにわたって保持されることを確実にするためのシステム設計には、２つの重要なアイデアがある：
Ｌ２およびＬ３ハンドオフの分断(Decoupling of L2 and L3 handoff)
エアインターフェースリソースを確保して(reserving)、ハンドオフが生じる前に対象ＮＦまたはＴＦにおいてセッションをフェッチして、ハンドオフ中のデータフローの中断を最小限にする。これは、対象ＴＦおよびＮＦをアクティブなセットに追加することによって行われる。
【００７５】
システムは、Ｌ２ハンドオフの高いレート中のＥＦトラフィックをシステムがサポートできるようにするために、Ｌ２およびＬ３ハンドオフを切り離すように設計されている。Ｌ３ハンドオフは、拘束更新を必要とし、これは、毎秒２〜３レートに制限される。２０〜３０Ｈｚといったより高速のＬ２ハンドオフレートを可能にするために、Ｌ２およびＬ３ハンドオフは、独立かつ非同期に設計される。
【００７６】
Ｌ２ハンドオフについて、アクティブなセットの管理は、Ｌ２ハンドオフの場合にＡＴの役に立つ準備が出来ているようにするために、アクティブなセット内のすべてのＴＦｓが構成されかつ専用のリソースとなることができるようにする。
【００７７】
サービスをアクセス端末（ＡＴ）に提供する複数のアクセスポイント（ＡＰ）を有する移動無線通信システムについて考える。多くのシステムは、アクティブなセットを有し、これは、ＡＴに対してリソースを割り当てたＡＰｓのセットである。所定の時点において、ＡＴは、ＡＰｓのうちの１つとの無線通信の範囲内にあってもよく、または、バッテリ電力の最適化および無線干渉削減の目的のために、慎重に選択された１つのＡＰ（担当ＡＰ）とのみ通信を行ってもよい。ここで考慮される問題は、担当ＡＰがＡＴへおよびＡＴからメッセージを送付可能であるようなシステムにおける様々なＡＰ間のメッセージおよびデータの送付についてである。
【００７８】
ＡＰｓは、Ｌ２ＴＰ(layer two tunneling protocol)（レイヤ２トンネリングプロトコル）トンネル上でデータを交換することができる。ＡＰ１がＡＴへデータまたはメッセージを送らなければならない場合であって、ＡＰ２が担当ＡＰである場合に、ＡＰ１は、まず、Ｌ２ＴＰトンネルを使用してパケットをＡＰ２へ送付し、ＡＰ２は、このパケットを、例えば再処理ビットなどの識別ビットの使用を含む機構を使用してＡＴへ送付する。
【００７９】
同様に、ＡＴがＡＰ１へメッセージまたはデータを送らなければならない場合であって、ＡＰ２が担当である場合に、ＡＴは、遠隔ビットセットとともにメッセージをＡＰ２へ送出し、ＡＰ２は、このパケットを、Ｌ２ＴＰトンネルを介してＡＰ１へ送出する。
【００８０】
Ｌ２ＴＰヘッダは、次のフィールドを含む。
【００８１】
１．ＵｓｅｒＩＤ：これは、Ｌ２ＴＰパケットがアドレス指定されたユーザのアドレスである。  
２．ＦｏｒｗａｒｄＯｒＲｅｖｅｒｓｅ：このフィールドは、ＡＴがパケットの宛て先か、またはソースかを識別する。  
３．ＦｌｏｗＩＤ：ある設計では、このフィールドは、順方向リンクパケット（ＡＴ宛のパケット）においてのみ存在してもよく、担当ＡＰが使用すべきフローを識別して、パケットをＡＴへ送付する。  
４．ＳｅｃｕｒｉｔｙＦｉｅｌｄ：ある設計では、このフィールドは、逆方向リンクパケット（ＡＴから生じたパケット）においてのみ存在してもよい。ＳｅｃｕｒｉｔｙＦｉｅｌｄは、ＩｓＳｅｃｕｒｅビット、（セキュリティ動作のために使用されるキーを識別するための）ＫｅｙＩｎｄｅｘフィールド、およびＣｒｙｐｔｏＳｙｎｃフィールドを含んでもよい。  
ある局面において、順方向リンクＬ２ＴＰパケットが通信される。ここで、順方向リンクＬ２ＴＰパケットを送出および受信するためにＡＰによって使用される処理を説明する。
【００８２】
ＡＰは、ＡＴへ送出するデータまたはメッセージを有する場合に、順方向リンクＬ２ＴＰパケットを送出する。ＡＰは、適切なヘッダを形成し、Ｌ２ＴＰパケットを担当ＡＰ（または、担当ＡＰの身元を知らない場合には、パケットを中央ノードであるＩＡＰを通してルーティングすることによって行われ得る）。
【００８３】
ＡＰが順方向リンクパケットを受信する場合には、以下のステップを行う。
【００８４】
１．ＡＰが（Ｌ２ＴＰヘッダ内の）所定のＵｓｅｒＩＤを担当していない場合には、パケットを現在の担当ＡＰへ転送する（パケットを中央ノードであるＩＡＰを通してルーティングすることによって行われ得る）。  
２．ＡＰが所定のＵｓｅｒＩＤを担当していない場合には、ＲＬＰフローおよび（Ｌ２ＴＰヘッダ内の）所定のＦｌｏｗＩＤについての関連のＱｏＳ属性を使用してパケットをＡＴへ送付する。  
ある局面において、逆方向リンクＬ２ＴＰパケットが通信される。ここで、逆方向リンクＬ２ＴＰパケットを送出および受信するためにＡＰによって使用される処理を説明する。
【００８５】
ＡＰは、ＡＴからパケットを受信する場合に、逆方向リンクＬ２ＴＰパケットを送出し、遠隔ビットが当該パケットに設定される。ＡＰがＬ２ＴＰパケットを送出する第１のステップは、アドレス決定である。
【００８６】
アドレス決定：当該パケットについての遠隔ビットが設定されると、パケットは、このパケットが送付されるべきＡＰ（対象ＡＰ）を識別するアドレスフィールドも含んでいる。受信ＡＰは、アドレスフィールドをＡＰのＩＰアドレスにマッピングする。このマッピングは、以下によって確立されてもよい。
【００８７】
１．ＡＴの支援による方法(AT assisted method)であって、それにより、マッピングを記載するメッセージがＡＴからＡＰへ送出され、その後、マッピング情報がＡＰによって使用されて、エアリンク上で使用されるアドレスおよびＩＰアドレス間のマッピングを行う。  
２．ネットワークの支援による方法にあって、中央エンティティまたは対象ＡＰによって提供されたマッピング情報が使用される。  
３．ＰｉｌｏｔＰＮベースの方法。この場合、アドレスフィールドは、アドレスに対応するＡＰのＰｉｌｏｔＰＮ（またはＰｉｌｏｔＰＮのなんらかの上位ビット）と単に等しくてもよい。受信ＡＰは、ＰｉｌｏｔＰＮと、すべての隣接ＡＰのＩＰアドレスとを、ネットワーク構成の一部として認識しており（それ自体ネットワークによって支援されていてもよい）、この情報を使用してＰＮベースのアドレスおよび対応ＩＰアドレス間をマッピングする。  
４．ＩＡＰアドレス方法であって、特殊なアドレス型がＡＴによって使用されて、ＡＴについてのインターネット接点(Internet attachment point)であるＡＰを識別する。ＡＴに対応するＡＰのアクティブなセットにおける各ＡＰは、特定のＡＴについてのＩＡＰのＩＰアドレスを認識しており、ＩＡＰアドレスおよびＡＴのＩＡＰのＩＰアドレス間をマッピングすることができる。
【００８８】
アドレス決定の後、Ｌ２ＴＰパケットを送出するＡＰは、必要に応じて、セキュリティ設計による決定に従って、セキュリティ関連フィールドを挿入してもよい。ＡＰが逆方向リンクＬ２ＴＰパケットを受信すると、以下のステップを行う。
【００８９】
１．（Ｌ２ＴＰトンネル内の）受信されたパケット内に示された所定のＵｓｅｒＩＤをＡＰが担当していない場合には、パケットを無視する。  
２．ＡＰが受信されたパケットの所定のＵｓｅｒＩＤを担当していれば、当該パケットが自身のＭＡＣ（媒体アクセス制御）層から受信されたかのように当該パケットを処理する。パケットの処理は、Ｌ２ＴＰトンネル内で受信されたＳｅｃｕｒｉｔｙＦｉｅｌｄに依存してもよい。
【００９０】
図５は、アクセスポイントを動作させて、情報をアクセス端末へ通信する方法の例の流れ図５００である。動作は、ステップ５０２において開始し、アクセスポイントが電源投入および初期化されて、ステップ５０４へ進む。ステップ５０４において、アクセスポイントは、長アドレスに対応する短アドレスを示すアクセス端末からの信号を受信する。その後、ステップ５０６において、アクセスポイントは、アドレスデータベース内の短アドレスを長アドレスに関連付けられたデータベースエントリ内に記憶させる(stores)。動作はステップ５０６からステップ５０８へ進む。ステップ５０８において、アクセスポイントは、長アドレスと、通信されるべき情報とを含むパケットを遠隔装置から受信する。動作はステップ５０８からステップ５１０へ進み、アクセスポイントは、通信リンク上の通信のために使用されるべき、長アドレスに対応する、長アドレスよりも少ないビット数を含む短アドレスを決定する。ステップ５１０は、サブステップ５１２を含み、その中で、アクセスポイントは、長アドレスおよび短アドレス間をマッピングする情報を含むアドレスデータベースにおいてルックアップ動作(look-up operation)を行う。
【００９１】
動作はステップ５１０からステップ５１４ヘ進む。ステップ５１４において、アクセスポイントは、通信されるべき情報を短アドレスでアクセス端末へ送信する。ある実施形態においては、遠隔装置は遠隔アクセスポイントであって、通信されるべき情報を短アドレスでアクセス端末へ送信することは、短縮されたアドレスを含むヘッダを有する受信されたパケットとともに含まれるパケットペイロードを送信することを含む。ある実施形態においては、短縮されたアドレスを含むヘッダは、ｉ）ＰＣＰヘッダと、ｉｉ）ＲＬＰヘッダのうちの１つである。
【００９２】
動作はステップ５１４からステップ５１６ヘ進む。ステップ５１６において、アクセスポイントは、短アドレスと遠隔装置へ通信されるべき情報とを含むパケットを、アクセス端末から受信する。その後、ステップ５１８において、アクセスポイントは、情報を遠隔装置へ通信するために使用されるべき、短アドレスに対応する、短アドレスよりも多いビットを含む長アドレスを決定する。動作はステップ５１８からステップ５２０ヘ進み、アクセスポイントは、遠隔装置へ通信されるべき情報を長アドレスで遠隔装置へ送出する。
【００９３】
ある実施形態においては、長アドレスは、ＩＰアドレスである。ある実施形態においては、短アドレスは、ＩＰアドレスの短縮されたバージョンである。様々な実施形態においては、長アドレスは、遠隔装置からレイヤ２トンネルを通してパケットをルーティングするために使用され、短アドレスは、パケットをエアリンク上で通信するために使用されるアドレスである。
【００９４】
遠隔装置は、ある実施形態においては、遠隔アクセスポイントであり得るし、時には実際にそうである。ある実施形態においては、遠隔アクセスポイントは、アクセス端末のアクティブなネットワーク接続ポイント(network point of attachment)として以前に機能し得、アクセスポイントは、アクセス端末の現在アクティブなネットワーク接続ポイントとして機能し得、短アドレスは、アクセス端末にとってアクセスポイントの位置において固有なもの(locally unique at the access point)である。
【００９５】
例示の目的で図５において順を追って説明したが、ある実施形態においては、アップリンク／ダウンリンク処理が、並列的に、および／またはパケットが受信および送信されるにつれて進行中ベースで行われ得ることが理解される。
【００９６】
図６は、アクセスポイントを動作させて、情報を例えば遠隔アクセスポイントなどの遠隔装置へ通信する流れ図６００である。動作はステップ６０２において開始し、アクセスポイントが電源投入および初期化されて、ステップ６０４へ進む。ステップ６０４において、アクセスポイントは、長アドレスに対応する短アドレスを示すアクセス端末からの信号を受信する。動作はステップ６０４からステップ６０６へ進む。ステップ６０６において、アクセスポイントは、アドレスデータベース内の短アドレスを長アドレスに関連付けられたデータベースエントリ内に記憶させる。
【００９７】
動作はステップ６０６からステップ６０８ヘ進む。ステップ６０８において、アクセスポイントは、短アドレスと、遠隔装置へ通信されるべき情報とを含むパケットをアクセス端末から受信する。その後、ステップ６１０において、アクセスポイントは、情報を遠隔装置へ通信するために使用されるべき、短アドレスに対応する、短アドレスよりも多いビットを含む長アドレスを決定する。ステップ６１０は、サブステップ６１２を含み、その中で、アクセスポイントは、短アドレスおよび長アドレス間をマッピングする情報を含むアドレスデータベース内においてルックアップ動作を行う。動作はステップ６１０からステップ６１４ヘ進み、アクセスポイントは、通信されるべき情報を長アドレスで遠隔装置へ送出する。
【００９８】
様々な実施形態においては、長アドレスは、ＩＰアドレスである。そのようなある実施形態においては、短アドレスは、ＩＰアドレスの短縮されたバージョンである。 ある実施形態においては、長アドレスは、遠隔装置へレイヤ２トンネルを通してパケットをルーティングするために使用されるアドレスであり、短アドレスは、パケットをエアリンク上で通信するために使用されるアドレスである。
【００９９】
遠隔装置が遠隔アクセスポイントである実施形態においては、遠隔アクセスポイントは、アクセス端末のアクティブなネットワーク接続ポイントとして以前に機能し、アクセスポイントは、アクセス端末の現在のアクティブなネットワーク接続ポイントとして機能する。ある実施形態においては、短アドレスは、アクセス端末にとってアクセスポイントの位置において固有のものである。
【０１００】
図７は、様々な実施形態に係るアクセスポイントの例７００の図である。アクセスポイントの例７００は、無線受信器モジュール７０２と、無線送信器モジュール７０４と、プロセッサ７０６と、ネットワークインターフェースモジュール７０８と、メモリ７１０とを含み、それらはともにバス７１２を介して結合され、バス７１２上で、様々な要素がデータおよび情報を交換し得る。メモリ７１０は、ルーチン７１８と、データ／情報７２０とを含む。例えばＣＰＵなどのプロセッサ７０６は、ルーチンを実行しメモリ７１０内のデータ／情報７２０を使用して、アクセスポイントの動作を制御したり、例えば図５の流れ図５００の方法および図６の流れ図６００の方法などの方法を実施したりする。
【０１０１】
例えばＯＦＤＭ受信器などの無線受信器モジュール７０２は、アクセスポイントがアップリンク信号をアクセス端末から受信する受信アンテナ７１４に結合される。無線受信器モジュール７０２は、長アドレスに対応する短アドレスにアドレスを示すアクセス端末からの信号を受信する。また、無線受信器モジュール７０２は、短アドレスと、例えば遠隔アクセスポイントなどの遠隔装置へ通信されるべき情報とを含むパケットをアクセス端末から受信する。
【０１０２】
例えばＯＦＤＭ送信器などの無線送信器モジュール７０４は、送信アンテナ７１６に結合され、それを介して、アクセスポイントは、ダウンリンク信号をアクセス端末へ送信する。無線送信器モジュール７０４は、無線通信リンク上でダウンリンクパケットを送信する。
【０１０３】
ある実施形態においては、同一のアンテナが送信および受信用に使用される。ある実施形態においては、複数のアンテナおよび／または複数のアンテナ要素が受信用に使用される。ある実施形態においては、複数のアンテナおよび／または複数のアンテナ要素が送信用に使用される。ある実施形態においては、同一のアンテナまたはアンテナ要素のうちの少なくともいくつかが送信および受信用の両方に使用される。ある実施形態においては、アクセス端末は、ＭＩＭＯ技術を使用する。
【０１０４】
ネットワークインターフェースモジュール７０８は、例えば他のアクセスポイント、ＡＡＡノード、ホームエージェントノードなどの他のネットワークノードに、および／または、ネットワークリンク７０９を介してインターネットに結合される。ネットワークインターフェースモジュール７０８は、例えば遠隔アクセスポイントなどの遠隔装置からネットワーク接続７０９を介して、長アドレスと、通信されるべき情報とを含むパケットを遠隔装置から受信する。ある実施形態においては、ネットワークインターフェースモジュール７０８は、バックホールリンクによって遠隔装置に結合され、遠隔装置は、遠隔アクセスポイントである。
【０１０５】
ルーチン７１８は、長アドレスから短アドレスへのマッピングモジュール(long address to short address mapping module)７２２と、ダウンリンクパケット生成モジュール(downlink packet generation module)７２４と、データベース更新モジュール(database updating module)７２６と、短アドレスから長アドレスへのマッピングモジュール(short address to long address mapping module)７２８と、トンネリングされたパケット生成モジュール(tunneled packet generation module)７３０とを含む。データ情報７２０は、アドレスデータベース(address database)７３２と、アクセス端末状態情報(access terminal state information)７４２とを含む。アドレスデータベース７３２は、互いに異なるアクセス端末（アクセス端末１のアドレスデータベース７３３，．．．，アクセス端末Ｎのアドレスデータベース７３５）に対応する複数のアドレスデータベースを含む。アクセス端末１のアドレスデータベース７３３は、長アドレスと短アドレスとの対応する対を含む（（長アドレス１  ７３４，  短アドレス１  ７３６），．．．，（長アドレスｎ７３８，短アドレスｎ７４０））。ある実施形態においては、長アドレスおよび短アドレス間のアドレスマッピングは、アクセス端末が独立している。そのような実施形態において、アドレスデータマッピング情報の単一のセットが、アクセスポイントによって保持および使用される。アドレスデータベース７３２は、長アドレスから短アドレスへのマッピングモジュール７２２にアクセス可能である。アドレスデータベース７３２内に記憶された情報は、長アドレスと短アドレスとを関連付ける。アクセス端末状態情報７４２は、例えばアクセスポイントをネットワーク接続ポイントとして使用する互いに異なるアクセス端末などの互いに異なるアクセス端末に対応する状態情報の複数のセットを含む（アクセス端末１の状態情報７４４，．．．，アクセス端末Ｎの状態情報７４６）。様々な実施形態においては、記憶されたアクセス端末状態情報７４２は、アクセスポイント７００がアクセス端末の現在のアクティブなネットワーク接続ポイントであることを示す情報を含む状態情報を含む。
【０１０６】
長アドレスから短アドレスへのマッピングモジュール７２２は、長アドレスに対応する短アドレスであって、無線通信リンク上で使用され、長アドレスよりも少ないビットを含む短アドレスを決定する。ダウンリンクパケット生成モジュール７２４は、短アドレスと、通信されるべき情報とを含むダウンリンクパケットを生成する。データベース更新モジュール７２６は、アドレスデータベース７３２内の短アドレスを、長アドレスに関連付けられたデータベースエントリ内に記憶させる。短アドレスから長アドレスへのマッピングモジュール７２８は、情報を遠隔装置へ通信するために使用されるべき、短アドレスに対応する長アドレスであって、短アドレスよりも多いビットを含む長アドレスを決定する。トンネリングされたパケット生成モジュール７３０は、遠隔装置へ送出すべきパケットを生成し、ｉ）受信されたパケット内に含まれた短アドレスから決定された長アドレスと、ｉｉ）長アドレスを決定するために使用される短アドレスを含んだ受信されたパケット内で通信された情報とを含むパケットを生成する。
【０１０７】
様々な実施形態においては、長アドレスは、ＩＰアドレスである。そのようなある実施形態においては、短アドレスは、ＩＰアドレスの短縮されたバージョンである。 ある実施形態においては、長アドレスは、遠隔装置とアクセスポイントとの間でレイヤ２トンネルを通してパケットをルーティングするために使用されるアドレスであり、短アドレスは、パケットをエアリンク上で通信するために使用されるアドレスである。ある実施形態においては、短アドレスは、アクセス端末にとってアクセスポイント７００の位置において固有のものである。
【０１０８】
図８は、アクセス端末を動作させて、情報をアクセスポイントを通して遠隔装置へ通信する方法の例の流れ図８００である。動作はステップ８０２において開始し、アクセス端末が電源投入および初期化されて、ステップ８０４へ進む。ステップ８０４において、アクセス端末は、長アドレスから、当該長アドレスの短縮されたバージョンである短アドレスを生成する。動作はステップ８０４からステップ８０６へ進む。ステップ８０６において、アクセス端末は、長アドレスおよび短アドレス間をマッピングする情報をアクセス端末内に含まれるデータベース内に記憶させる。
【０１０９】
その後、ステップ８０８において、アクセス端末は、遠隔装置を識別するためにアクセス端末によって使用される短アドレスおよび遠隔装置を識別するためにアクセスポイントによって使用される長アドレスの間のマッピングを示すメッセージをアクセスポイントへ通信する。動作は、ステップ８０８からステップ８１０へ進む。ステップ８１０において、アクセス端末は、エアリンク上で遠隔装置へ通信されるべき情報を遠隔装置に対応する短アドレスでアクセスポイントへ送信する。
【０１１０】
長アドレスは、ある実施形態においては、アクセスポイントと遠隔装置との間をレイヤ２トンネルを通してパケットを通信するために使用されるＩＰアドレスである。様々な実施形態においては、遠隔装置は、遠隔アクセスポイントである。ある実施形態においては、遠隔アクセスポイントは、アクセス端末のアクティブなネットワーク接続ポイントとして以前に機能し、アクセスポイントは、アクセス端末の現在アクティブなネットワーク接続ポイントとして機能する。様々な実施形態においては、短アドレスは、アクセス端末にとってアクセスポイントの位置において固有なものである。
【０１１１】
図９は、アクセス端末を動作させて、遠隔装置からアクセスポイントを通して情報を受信する方法例の流れ図９００である。動作は、ステップ９０２で開始し、アクセス端末は、電源投入および初期化されて、ステップ９０４へ進む。ステップ９０４において、アクセス端末は、長アドレスから、当該長アドレスの短縮されたバージョンである短アドレスを生成する。その後、ステップ９０６において、アクセス端末は、メッセージをアクセスポイントへ通信して、短アドレスと長アドレスとの間のマッピングを示す。動作はステップ９０６からステップ９０８へ進む。ステップ９０８において、アクセス端末は、アクセスポイントから、遠隔装置に対応する短アドレスと、遠隔装置からの情報とを含むパケットを受信する。動作はステップ９０８からステップ９１０へ進む。ステップ９１０において、アクセス端末は、システム内の遠隔装置を一意に識別する、短アドレスよりも多いビットを含む長アドレスへ、短アドレスをマッピングすることによって、情報を提供した遠隔装置を識別する。ステップ９１０は、短アドレスと長アドレスとの間をマッピングする情報を含むアクセス端末内のデータベースにアクセスするサブステップ９１２を含む。
【０１１２】
様々な実施形態においては、長アドレスは、アクセスポイントと遠隔装置との間でレイヤ２トンネルを通してパケットを通信するために使用されるＩＰアドレスである。ある実施形態においては、遠隔装置は、遠隔アクセスポイントである。そのようなある実施形態においては、アクセス端末のアクティブなネットワーク接続ポイントとして以前に機能し、アクセスポイントは、アクセス端末の現在アクティブなネットワーク接続ポイントとして機能する。様々な実施形態においては、短アドレスは、アクセス端末にとってアクセスポイントの位置において固有なものである。
【０１１３】
図１０は、様々な実施形態に係るアクセス端末１０００の例の図である。アクセス端末の例１０００は、情報を遠隔装置へアクセスポイントを通して通信し得るし、時には実際に通信する。アクセス端末の例１０００は、無線受信器モジュール１００２と、無線送信器モジュール１００４と、プロセッサ１００６と、ユーザ入出力装置１００８と、メモリ１０１０とを含み、それらはともにバス１０１２を介して結合され、バス１０１２上で、様々な要素がデータおよび情報を交換し得る。メモリ１０１０は、ルーチン１０１８と、データ／情報１０２０とを含む。例えばＣＰＵなどのプロセッサ１００６は、ルーチン１０１８を実行しメモリ１０１０内のデータ／情報１０２０を使用して、アクセス端末の動作を制御したり、例えば図８の流れ図８００および図９の流れ図９００の方法などの方法を実施したりする。
【０１１４】
無線受信器モジュール１００２は、アクセス端末１０００がダウンリンク信号をアクセスポイントから受信する受信アンテナ１０１４に結合される。無線受信器モジュール１００２は、例えばその現在の担当アクセスポイントなどのアクセスポイントから、遠隔装置に対応する短アドレスと、遠隔装置からの情報とを含む短アドレスを含むパケットを受信する。
【０１１５】
無線送信器モジュール１００４は、送信アンテナ１０１６に結合され、それを介して、アクセス端末１０００は、アップリンク信号をアクセスポイントへ送信する。無線送信器モジュール１００４によって送信されたアップリング信号は、マッピング情報メッセージと、生成されたパケットとを含む。
【０１１６】
ある実施形態においては、同一のアンテナが送信および受信用に使用される。ある実施形態においては、複数のアンテナおよび／または複数のアンテナ要素が受信用に使用される。ある実施形態においては、複数のアンテナおよび／または複数のアンテナ要素が送信用に使用される。ある実施形態においては、同一のアンテナまたはアンテナ要素のうちの少なくともいくつかが送信および受信用の両方に使用される。ある実施形態においては、アクセス端末は、ＭＩＭＯ技術を使用する。
【０１１７】
ユーザ入出力装置１００８は、例えばマイクロフォン、キーボード、キーパッド、スイッチ、カメラ、スピーカ、ディスプレイなどを含む。ユーザ入出力装置１００８は、アクセス端末１０００のユーザがデータ／情報の入力、データ／情報の出力へのアクセス、および、例えば通信セッションを例えば他のアクセス端末などのピアノードで開始するなど、アクセス端末１０００の少なくともいくつかの機能に対する制御を行うことができるようにする。
【０１１８】
ルーチン(routines)１０１８は、マッピングメッセージ生成モジュール(mapping message generation module)１０２２と、パケット生成モジュール(packet generation module)１０２４と、短アドレス生成モジュール(short address generation module)１０２６と、遠隔装置識別モジュール(remote device identification module)１０２８とを含む。データ／情報１０２０は、アドレスデータベース１０３０と、アクセス端末状態情報１０４０とを含む。アドレスデータベース１０３０は、長アドレスとアドレスとの対応する対を含む（（長アドレス１  １０３２,短アドレス１  １０３４），．．．，（長アドレスｎ１０３６，短アドレスｎ１０３８））。アドレスデータベース１０３０内の記憶された情報は、短アドレスおよび長アドレス間のマッピングを含み、例えば、長アドレスと短アドレスとを関連付けている。様々な実施形態においては、時には、記憶されたアクセス端末状態情報１０４０は、どのアクセスポイントがアクセス端末１０００についてのネットワーク接続の現在のポイントか、およびどのアクセスポイントがアクセス端末１０００についてのネットワーク接続の以前のポイントかを示す情報を含む状態情報を含む。
【０１１９】
マッピングメッセージ生成モジュール１０２２は、遠隔装置を識別するためにアクセス端末によって使用される短アドレスおよび遠隔装置を識別するためにアクセスポイントによって使用される長アドレスの間のマッピングを示すメッセージを生成する。パケット生成モジュール１０２４は、遠隔装置を識別するためにアクセス端末１０００によって使用される短アドレスと、遠隔装置へ通信されるべき情報とを含む、遠隔装置に対するデータパケットを生成する。短アドレス生成モジュール１０２６は、長アドレスを短縮して、そこから対応する短アドレスを生成する。遠隔装置識別モジュール１０２８は、短アドレスを、システム内の遠隔装置を一意に識別する、それより長いアドレスにマッピングすることによって、無線受信器モジュール１００２によって受信されたパケット内に含まれる情報を提供した遠隔装置を識別する。
【０１２０】
様々な実施形態においては、長アドレスは、レイヤ２トンネルを通して遠隔装置とＡＰとの間でパケットを通信するために使用されるＩＰアドレスである。ある実施形態においては、遠隔装置は、例えばアクセス端末１０００の観点から、遠隔アクセスポイントである。そのような実施形態において、遠隔アクセスポイントは、アクセス端末１０００のアクティブなネットワーク接続ポイントとして機能し、アクセスポイントは、アクセス端末１０００の現在のアクティブなネットワーク接続ポイントとして機能する。そのようなある実施形態においては、短アドレスは、アクセス端末にとってアクセスポイントの位置において固有のものである。
【０１２１】
様々な実施形態においては、ここにおいて説明されたノードは、例えば信号処理、メッセージ生成、および／または送信ステップなどの本局面の１つ以上の方法に対応するステップを行う１つ以上のモジュールを使用して実施される。よって、ある実施形態においては、モジュールを使用して様々な特徴が実施される。そのようなモジュールは、ソフトウェア、ハードウェア、またはソフトウェアおよびハードウェアの組み合わせを使用して実施されてもよい。上述の方法または方法ステップの多くは、例えば１つ以上のノードにおいて上述の方法のすべてまたは一部を実施するために、例えば追加のハードウェア有無を問わない汎用コンピュータなどの機械を制御する、例えばＲＡＭ、フロッピー（登録商標）ディスク、コンパクトディスク、ＤＶＤなどのメモリ装置などの機械読み出し可能な媒体内に含まれるソフトウェアなどの機械実行可能な命令を使用して、実施されることができる。したがって、とりわけ、本局面は、例えばプロセッサおよび関連ハードウェアなどの機械に上述の（複数の）方法のステップのうちの１つ以上を実行させるための機械実行可能な命令を含む機械読み出し可能な媒体に関する。
【０１２２】
様々な実施形態においては、ここにおいて説明されたノードは、例えば信号処理、メッセージ生成、および／または送信ステップなどの１つ以上の方法に対応するステップを行う１つ以上のモジュールを使用して実施される。いくつかのステップの例は、接続要求を送信すること、接続応答を受信すること、アクセス端末がアクティブな接続を有するアクセスポイントを示す情報のセットを更新すること、接続要求を転送すること、接続応答を転送すること、リソース割り当てを決定すること、リソースを要求すること、リソースを更新することなどを含む。ある実施形態においては、モジュールを使用して様々な特徴が実施される。そのようなモジュールは、ソフトウェア、ハードウェア、またはソフトウェアおよびハードウェアの組み合わせを使用して実施されてもよい。上述の方法または方法ステップの多くは、例えば１つ以上のノードにおいて上述の方法のすべてまたは一部を実施するために、例えば追加のハードウェア有無を問わない汎用コンピュータなどの機械を制御する、例えばＲＡＭ、フロッピーディスク、コンパクトディスク、ＤＶＤなどのメモリ装置などの機械読み出し可能な媒体内に含まれるソフトウェアなどの機械実行可能な命令を使用して、実施されることができる。したがって、とりわけ、様々な実施形態は、例えばプロセッサおよび関連ハードウェアなどの機械に上述の（複数の）方法のステップのうちの１つ以上を実行させるための機械実行可能な命令を含む機械読み出し可能な媒体に関する。
【０１２３】
ある実施形態においては、アクセス端末および／またはアクセスポイントなどの例えば通信装置などの１つ以上の装置の例えばＣＰＵなどの単数または複数のプロセッサは、通信装置によって行われるように説明された方法のステップを実行するように構成される。プロセッサの構成は、例えばソフトウェアモジュールなどの１つ以上のモジュールを使用してプロセッサ構成を制御することによって実現されてもよいし、および／または、ハードウェアモジュールなどのプロセッサ内のハードウェアを含ませて記載のステップを行うおよび／またはプロセッサ構成を制御することによって実現されてもよい。したがって、すべてではないがいくつかの実施形態は、プロセッサが含まれる装置によって行われる様々な上述の方法の各ステップに対応するモジュールを含むプロセッサを有する通信装置などの装置に関する。すべてではないがいくつかの実施形態において、例えば通信装置などの装置は、プロセッサが含まれる装置によって行われる様々な上述の方法の各ステップに対応するモジュールを含む。モジュールは、ソフトウェアおよび／またはハードウェアを使用して実施されてもよい。
【０１２４】
上記に説明された方法及び装置に関する数多くのさらなる変形は、上記の説明を考慮して当業者には明らかであろう。そのような変形は、範囲の中にあるとみなされるべきである。様々な実施形態の方法および装置は、ＣＤＭＡ、直交周波数分割多重（ＯＦＤＭ）、および／または、アクセスノードと移動ノードとの間の無線通信リンクを提供するために使用されるであろう様々な他の種類の通信技術とともに、使用されてもよいし、そして、様々な実施形態においてそれらと共に使用されている。ある実施形態においては、アクセスノードは、ＯＦＤＭおよび／またはＣＤＭＡを使用する移動ノードを伴う通信リンクを確立する基地局として実施される。様々な実施形態においては、様々な実施形態の方法を実施するために、移動ノードは、ノートブックコンピュータ、携帯情報端末（ＰＤＡｓ）、または受信器／送信器回路と論理および／またはルーチンとを含む他の携帯装置として実施される。
以下に、本願出願の当初の特許請求の範囲に記載された発明を付記する。
［１］
アクセスポイントを動作させて、情報をアクセス端末へ通信する方法であって、
パケットを遠隔装置から受信することと、なお、前記パケットは、長アドレスと通信されるべき情報とを含む；
通信リンク上で通信するために使用されるべき、前記長アドレスに対応する短アドレスを決定することと、なお、前記短アドレスは、前記長アドレスよりも少ないビットを含む；
通信されるべき前記情報を前記短アドレスで前記アクセス端末へ送信することと；
を備える方法。
［２］
前記長アドレスに対応する短アドレスを決定することは、
長アドレスおよび短アドレス間をマッピングする情報を含むアドレスデータベースにおいてルックアップ動作を行うこと、
を含む、
［１］に記載の方法。
［３］
前記長アドレスに対応する短アドレスを決定することの前記のステップの前に、
前記長アドレスに対応する前記短アドレスを示す前記アクセス端末からの信号を受信することと、
前記アドレスデータベース内の前記短アドレスを、前記長アドレスに関連付けられたデータベースエントリ内に記憶させることと、
をさらに備える［２］に記載の方法。
［４］
前記長アドレスは、ＩＰアドレスである、［３］に記載の方法。
［５］
前記短アドレスは、前記ＩＰアドレスの短縮されたバージョンである、［４］に記載の方法。
［６］
前記長アドレスは、前記遠隔装置からレイヤ２トンネルを通してパケットをルーティングするために使用されるアドレスであり、
前記短アドレスは、パケットをエアリンク上で通信するために使用されるアドレスである、
［３］に記載の方法。
［７］
前記遠隔装置は、遠隔アクセスポイントであり、
通信されるべき前記情報を前記短アドレスで前記アクセス端末へ送信することは、前記の短縮されたアドレスを含むヘッダで、前記受信されたパケットに含まれるパケットペイロードを送信すること、を含む、
［６］に記載の方法。
［８］
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記短アドレスは、前記アクセス端末にとって前記アクセスポイントの位置において固有のものである、
［７］に記載の方法。
［９］
パケットを前記アクセス端末から受信することと、なお、前記パケットは、短アドレスと前記遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
をさらに備える［１］に記載の方法。
［１０］
長アドレスと通信されるべき情報とを含むパケットを遠隔装置から受信し、
通信リンク上で通信するために使用されるべき、前記長アドレスに対応する、前記長アドレスよりも少ないビットを含む短アドレス、を決定し、
通信されるべき前記情報を前記短アドレスでアクセス端末へ送信する、
ように構成されたプロセッサ、
を備える装置。
［１１］
前記プロセッサは、前記長アドレスに対応する短アドレスを決定する際に、
長アドレスおよび短アドレス間をマッピングする情報を含むアドレスデータベースにおいてルックアップ動作を行う、
ようにさらに構成されている、
［１０］に記載の装置。
［１２］
前記プロセッサは、前記長アドレスに対応する短アドレスを決定することの前記のステップの前に、
前記長アドレスに対応する前記短アドレスを示す前記アクセス端末からの信号を受信し、
前記アドレスデータベース内の前記短アドレスを、前記長アドレスに関連付けられたデータベースエントリ内に記憶させる、
ようにさらに構成されている、
［１１］に記載の装置。
［１３］
前記長アドレスは、前記遠隔装置からレイヤ２トンネルを通してパケットをルーティングするために使用されるアドレスであり、
前記短アドレスは、パケットをエアリンク上で通信するために使用されるアドレスである、
［１２］に記載の装置。
［１４］
前記プロセッサは、
前記アクセス端末から、短アドレスと前記遠隔装置へ通信されるべき情報とを含むパケットを受信し、
前記情報を前記遠隔装置へ通信するために使用されるべき、前記短アドレスに対応し、前記短アドレスよりも多いビットを含む、長アドレスを決定し、
通信されるベき前記情報を、前記長アドレスで前記遠隔装置へ送出する、
ようにさらに構成されている、
［１０］に記載の装置。
［１５］
他の通信装置と通信する方法を実施するためにアクセスポイントを制御するための機械実行可能な命令を具現化するコンピュータ読み出し可能な媒体であって、前記方法は、
パケットを遠隔装置から受信することと、なお、前記パケットは、長アドレスと通信されるべき情報とを含む；
通信リンク上で通信するために使用される、前記長アドレスに対応する短アドレスを決定することと、なお、前記短アドレスは、前記長アドレスよりも少ないビットを含む；
通信されるべき前記情報を前記短アドレスで前記アクセス端末へ送信することと；
を備える、
コンピュータ読み出し可能な媒体。
［１６］
前記長アドレスに対応する短アドレスを決定する際に、
長アドレスおよび短アドレス間をマッピングする情報を含むアドレスデータベースにおいてルックアップ動作を行うこと、
のための機械実行可能な命令、
をさらに具現化する［１５］に記載のコンピュータ読み出し可能な媒体。
［１７］
前記長アドレスに対応する短アドレスを決定することの前記のステップの前に、
前記長アドレスに対応する前記短アドレスを示す前記アクセス端末からの信号を受信することと、
前記アドレスデータベース内の前記短アドレスを、前記長アドレスに関連付けられたデータベースエントリ内に記憶させることと、
のための機械実行可能な命令、
をさらに具現化する［１６］に記載のコンピュータ読み出し可能な媒体。
［１８］
前記長アドレスは、前記遠隔装置からレイヤ２トンネルを通してパケットをルーティングするために使用されるアドレスであり、
前記短アドレスは、パケットをエアリンク上で通信するために使用されるアドレスである、
［１７］に記載のコンピュータ読み出し可能な媒体。
［１９］
パケットを前記アクセス端末から受信することと、なお、前記パケットは、短アドレスと前記遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
のための機械実行可能な命令、
をさらに具現化する［１５］に記載のコンピュータ読み出し可能な媒体。
［２０］
アクセスポイントを動作させて、情報を遠隔装置へ通信する方法であって、
パケットをアクセス端末から受信することと、なお、前記パケットは、短アドレスと前記遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
を備える方法。
［２１］
前記短アドレスに対応する長アドレスを決定することは、
短アドレスおよび長アドレス間をマッピングする情報を含むアドレスデータベースにおいてルックアップ動作を行うこと、
を含む、
［２０］に記載の方法。
［２２］
前記短アドレスに対応する長アドレスを決定することの前記のステップの前に、
前記長アドレスに対応する前記短アドレスを示す前記アクセス端末からの信号を受信することと、
前記アドレスデータベース内の前記短アドレスを、前記長アドレスに関連付けられたデータベースエントリ内に記憶させることと、
をさらに備える［２１］に記載の方法。
［２３］
前記長アドレスは、ＩＰアドレスである、［２２］に記載の方法。
［２４］
前記短アドレスは、前記ＩＰアドレスの短縮されたバージョンである、［２７］に記載の方法。
［２５］
前記長アドレスは、前記遠隔装置へレイヤ２トンネルを通してパケットをルーティングするために使用されるアドレスであり、
前記短アドレスは、パケットをエアリンク上で通信するために使用されるアドレスである、
［２２］に記載の方法。
［２６］
前記遠隔装置は、遠隔アクセスポイントである、［２５］に記載の方法。
［２７］
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記短アドレスは、前記アクセス端末にとって前記アクセスポイントの位置において固有のものである、
［２６］に記載の方法。
［２８］
短アドレスと前記遠隔装置へ通信されるべき情報とを含むパケットをアクセス端末から受信し、
前記情報を前記遠隔装置へ通信するために使用されるべき、前記短アドレスに対応し、前記短アドレスよりも多いビットを含む、前記長アドレスを決定し、
通信されるべき前記情報を前記長アドレスで前記遠隔装置へ送出する、
ように構成されたプロセッサ、
を備える装置。
［２９］
前記プロセッサは、前記短アドレスに対応する長アドレスを決定する際に、
短アドレスおよび長アドレス間をマッピングする情報を含むアドレスデータベースにおいてルックアップ動作を行う、
ようにさらに構成されている、
［２８］に記載の装置。
［３０］
前記プロセッサは、前記短アドレスに対応する長アドレスを決定することの前記のステップの前に、
前記長アドレスに対応する前記短アドレスを示す前記アクセス端末からの信号を受信し、
前記アドレスデータベース内の前記短アドレスを、前記長アドレスに関連付けられたデータベースエントリ内に記憶させる、
ようにさらに構成されている、
［２９］に記載の装置。
［３１］
前記長アドレスは、ＩＰアドレスである、［３０］に記載の装置。
［３２］
前記長アドレスは、前記遠隔装置へレイヤ２トンネルを通してパケットをルーティングするために使用されるアドレスであり、
前記短アドレスは、パケットをエアリンク上で通信するために使用されるドレスである、
［３０］に記載の装置。
［３３］
他の通信装置と通信する方法を実施するためにアクセスポイントを制御するための機械実行可能な命令を具現化するコンピュータ読み出し可能な媒体であって、前記方法は、
パケットをアクセス端末から受信することと、なお、前記パケットは、短アドレスと遠隔装置へ通信されるべき情報とを含む；
前記情報を前記遠隔装置へ通信するために使用されるべき、前記短アドレスに対応する長アドレスを決定することと、なお、前記長アドレスは、前記短アドレスよりも多いビットを含む；
通信されるべき前記情報を前記長アドレスで前記遠隔装置へ送出することと；
を備える、
コンピュータ読み出し可能な媒体。
［３４］
前記短アドレスに対応する長アドレスを決定することは、
短アドレスおよび長アドレス間をマッピングする情報を含むアドレスデータベースにおいてルックアップ動作を行うこと、
を含む、
［３３］に記載のコンピュータ読み出し可能な媒体。
［３５］
前記短アドレスに対応する長アドレスを決定することの前記のステップの前に、
前記長アドレスに対応する前記短アドレスを示す前記アクセス端末からの信号を受信することと、
前記アドレスデータベース内の前記短アドレスを、前記長アドレスに関連付けられたデータベースエントリ内に記憶させることと、
のための機械実行可能な命令、
をさらに具現化する［３４］に記載のコンピュータ読み出し可能な媒体。
［３６］
前記長アドレスは、ＩＰアドレスである、［３５］に記載のコンピュータ読み出し可能な媒体。
［３７］
前記長アドレスは、前記遠隔装置へレイヤ２トンネルを通してパケットをルーティングするために使用されるアドレスであり、
前記短アドレスは、パケットをエアリンク上で通信するために使用されるアドレスである、
［３５］に記載のコンピュータ読み出し可能な媒体。
［３８］
情報をアクセス端末へ通信するためのアクセスポイントであって、
パケットを遠隔装置からネットワーク接続を介して受信するためのネットワークインターフェースと、なお、前記パケットは、長アドレスと通信されるべき情報とを含む；
前記長アドレスに対応する短アドレスを決定するための、長アドレスから短アドレスへのマッピングモジュールと、なお、前記短アドレスは、無線通信リンク上で使用され、前記長アドレスよりも少ないビットを含む；
前記短アドレスと通信されるべき前記情報とを含むパケットを生成するためのダウンリンクパケット生成モジュールと；
前記無線通信リンク上でダウンリンクパケットを送信するための無線送信器と；
を備えるアクセスポイント。
［３９］
前記長アドレスから短アドレスへのマッピングモジュールにアクセス可能であって、長アドレスと短アドレスとを関連付ける記憶情報を含む、アドレスデータベース、
をさらに備える［３８］に記載のアクセスポイント。
［４０］
前記長アドレスに対応する前記短アドレスを示す前記アクセス端末からの信号を受信するための無線受信器モジュールと、
前記アドレスデータベース内の前記短アドレスを、前記長アドレスに関連付けられたデータベースエントリ内に記憶させるためのデータベース更新モジュールと、
をさらに備える［３９］に記載のアクセスポイント。
［４１］
前記長アドレスは、ＩＰアドレスである、［４０］に記載のアクセスポイント。
［４２］
前記短アドレスは、前記ＩＰアドレスの短縮されたバージョンである、［４１］に記載のアクセスポイント。
［４３］
前記長アドレスは、前記遠隔装置と前記アクセスポイントとの間でレイヤ２トンネルを通してパケットをルーティングするために使用されるアドレスであり、
前記短アドレスは、パケットをエアリンク上で通信するために使用されるアドレスである、
［４０］に記載のアクセスポイント。
［４４］
前記ネットワークインターフェースは、バックホールリンクによって、遠隔アクセスポイントである前記遠隔装置に結合される、［４３］に記載のアクセスポイント。
［４５］
前記アクセスポイントが前記アクセス端末の現在のアクティブなネットワーク接続ポイントであることを示す情報を含む状態情報を含む記憶アクセス端末状態情報、
をさらに備え、
前記短アドレスは、前記アクセス端末にとって前記アクセスポイントの位置において固有のものである、
［４４］に記載のアクセスポイント。
［４６］
パケットをアクセス端末から受信するための無線受信器と、なお、前記パケットは、短アドレスと前記遠隔装置へ通信されるべき情報とを含む；
情報を前記遠隔装置へ通信するために使用されるべき、前記短アドレスに対応する長アドレスを決定するための短アドレスから長アドレスへのマッピングモジュールと、なお、前記長アドレスは、前記短アドレスよりも多いビットを含む；
前記遠隔装置へ送出されるべきパケットを生成するためのトンネリングされたパケット生成モジュールと；
をさらに備え、
前記トンネリングされたパケット生成モジュールは、ｉ）前記受信されたパケット内に含まれる短アドレスから決定された長アドレスと、ｉｉ）前記長アドレスを決定するために使用される前記短アドレスを含んだ前記受信されたパケット内に含まれた通信されるべき情報と、を含むパケットを生成する、
［３８］に記載のアクセスポイント。
［４７］
情報をアクセス端末へ通信するためのアクセスポイントであって、
パケットを遠隔装置からネットワーク接続を介して受信するためのネットワークインターフェース手段と、なお、前記パケットは、長アドレスと通信されるべき情報とを含む；
前記長アドレスに対応する短アドレスを決定するための、長アドレスから短アドレスへのマッピング手段と、なお、前記短アドレスは、無線通信リンク上で使用され、前記短アドレスは、前記長アドレスよりも少ないビットを含む；
前記短アドレスと通信されるべき前記情報とを含むパケットを生成するためのダウンリンクパケット生成手段と；
前記無線通信リンク上でダウンリンクパケットを送信するための手段と；
を備えるアクセスポイント。
［４８］
決定するための前記手段にアクセス可能であり、長アドレスと短アドレスとを関連付ける記憶情報を含む、アドレスデータベース手段、
をさらに備える［４７］に記載のアクセスポイント。
［４９］
前記長アドレスに対応する前記短アドレスを示す前記アクセス端末からの信号を受信するための無線受信器手段と、
前記アドレスデータベース内の前記短アドレスを、前記長アドレスに関連付けられたデータベースエントリ内に記憶させるための手段と
をさらに備える［４８］に記載のアクセスポイント。
［５０］
前記長アドレスは、前記遠隔装置と前記アクセスポイントとの間でレイヤ２トンネルを通してパケットをルーティングするために使用されるアドレスであり、
前記短アドレスは、パケットをエアリンク上で通信するために使用されるアドレスである、
［４９］に記載のアクセスポイント。
［５１］
パケットをアクセス端末から受信するための無線受信器手段と、なお、前記パケットは、短アドレスと前記遠隔装置へ通信されるべき情報とを含む；
情報を前記遠隔装置へ通信するために使用されるべき、前記短アドレスに対応する長アドレスを決定するための、短アドレスから長アドレスへのマッピング手段と、なお、前記長アドレスは、前記短アドレスよりも多いビットを含む；
前記遠隔装置へ送出されるべきパケットを生成するためのトンネリングされたパケット生成手段と；
をさらに備え、
前記トンネリングされたパケット生成手段は、ｉ）受信されたパケット内に含まれる短アドレスから決定された長アドレスと、ｉｉ）前記長アドレスを決定するために使用される前記短アドレスを含んだ前記受信されたパケット内に含まれた通信されるべき情報と、を含むパケットを生成する、
［４７］に記載のアクセスポイント。
［５２］
アクセス端末を動作させて、情報を遠隔装置へアクセスポイントを介して通信する方法であって、
前記遠隔装置を識別するために前記アクセス端末によって使用される短アドレスおよび前記遠隔装置を識別するために前記アクセスポイントによって使用される長アドレス間のマッピングを示すメッセージを前記アクセスポイントへ通信することと、
エアリンク上で前記遠隔装置へ通信されるべき情報を前記遠隔装置に対応する前記短アドレスで前記アクセスポイントへ送信すること、
を備える方法。
［５３］
前記短アドレスおよび長アドレス間をマッピングする情報を前記アクセス端末内に含まれるデータベース内に記憶すること、
をさらに備える［５２］に記載の方法。
［５４］
マッピングを示す前記メッセージを通信する前に、前記長アドレスの短縮されたバージョンである前記短アドレスを前記長アドレスから生成すること、
をさらに備える［５３］に記載の方法。
［５５］
前記長アドレスは、レイヤ２トンネルを通して前記アクセスポイント装置と前記遠隔装置との間でパケットを通信するために使用されるＩＰアドレスである、［５４］に記載の方法。
［５６］
前記遠隔装置は、遠隔アクセスポイントである、［５５］に記載の方法。
［５７］
前記遠隔アクセスポイントは、前記アクセス端末のアクティブなネットワーク接続ポイントとして以前に機能し、
前記アクセスポイントは、前記アクセス端末の現在アクティブなネットワーク接続ポイントとして機能し、
前記短アドレスは、前記アクセス端末にとって前記アクセスポイントの位置において固有のものである、
［５６］に記載の方法。
［５８］
アクセスポイントへ、遠隔装置を識別するためにアクセス端末によって使用される短アドレスおよび前記遠隔装置を識別するために前記アクセスポイントによって使用される長アドレス間のマッピングを示すメッセージを通信し、
エアリンク上で前記遠隔装置へ通信されるべき情報を前記遠隔装置に対応する前記短アドレスで前記アクセスポイントへ送信する、
ように構成されたプロセッサ、
を備える装置。
［５９］
前記プロセッサは、
前記短アドレスおよび長アドレス間をマッピングする情報を前記アクセス端末内に含まれるデータベース内に記憶する
ようにさらに構成されている、
［５８］に記載の装置。
［６０］
前記プロセッサは、
マッピングを示す前記メッセージを通信する前に、前記長アドレスの短縮されたバージョンである前記短アドレスを前記長アドレスから生成する、
ようにさらに構成されている、
［５９］に記載の装置。
［６１］
前記長アドレスは、レイヤ２トンネルを通して前記アクセスポイントと前記遠隔装置との間でパケットを通信するために使用されるＩＰアドレスである、［６０］に記載の装置。
［６２］
前記遠隔装置は、遠隔アクセスポイントである、［６１］に記載の装置。
［６３］
他の通信装置と通信する方法を実施するためにアクセス端末を制御するための機械実行可能な命令を具現化するコンピュータ読み出し可能な媒体であって、前記方法は、
アクセスポイントへ、遠隔装置を識別するために前記アクセス端末によって使用される短アドレスおよび前記遠隔装置を識別するために前記アクセスポイントによって使用される長アドレス間のマッピングを示すメッセージを通信することと、
エアリンク上で前記遠隔装置へ通信されるべき情報を前記遠隔装置に対応する前記短アドレスで前記アクセスポイントへ送信することと、
を備える、
コンピュータ読み出し可能な媒体。
［６４］
前記短アドレスおよび長アドレス間をマッピングする情報を前記アクセス端末内に含まれるデータベース内に記憶すること、
のための機械実行可能な命令、
をさらに具現化する［６３］に記載のコンピュータ読み出し可能な媒体。
［６５］
マッピングを示す前記メッセージを通信する前に、前記長アドレスの短縮されたバージョンである前記短アドレスを前記長アドレスから生成すること、
のための機械実行可能な命令、
をさらに具現化する［６４］に記載のコンピュータ読み出し可能な媒体。
［６６］
前記長アドレスは、レイヤ２トンネルを通して前記アクセスポイントと前記遠隔装置との間でパケットを通信するために使用されるＩＰアドレスである、［６５］に記載のコンピュータ読み出し可能な媒体。
［６７］
前記遠隔装置は、遠隔アクセスポイントである、［６６］に記載のコンピュータ読み出し可能な媒体。
［６８］
アクセス端末を動作させて、情報を遠隔装置からアクセスポイントを通して受信する方法であって、
前記遠隔装置に対応する短アドレスと前記遠隔装置からの情報とを含むパケットを、前記アクセスポイントから受信することと；
前記遠隔装置を一意に識別する長アドレスに前記短アドレスをマッピングすることによって前記情報を提供した前記遠隔装置を識別することと、なお、前記長アドレスは、前記短アドレスよりも多いビットを含む；
を備える方法。
［６９］
前記情報を提供した前記遠隔装置を識別することは、
前記短アドレスおよび長アドレス間をマッピングする情報を含む前記アクセス端末内のデータベースにアクセスすること、
を含む、
［６８］に記載の方法。
［７０］
前記パケットを受信する前に、前記短アドレスおよび長アドレス間のマッピングを示すメッセージを前記アクセスポイントへ通信すること、
をさらに備える［６９］に記載の方法。
［７１］
前記メッセージを通信する前に、前記短アドレスを前記長アドレスから生成すること、をさらに備え、前記短アドレスは、前記長アドレスの短縮されたバージョンである、［７０］に記載の方法。
［７２］
前記長アドレスは、レイヤ２トンネルを通して前記アクセスポイントと前記遠隔装置との間でパケットを通信するために使用されるＩＰアドレスである、［７０］に記載の方法。
［７３］
前記遠隔装置は、遠隔アクセスポイントである、［７２］に記載の方法。
［７４］
前記遠隔アクセスポイントは、前記アクセス端末のアクティブなネットワーク接続ポイントとして以前に機能し、
前記アクセスポイントは、前記アクセス端末の現在のアクティブなネットワーク接続ポイントとして機能し、
前記短アドレスは、前記アクセス端末にとって前記アクセスポイントの位置において固有のものである、
［７３］に記載の方法。
［７５］
遠隔装置に対応する短アドレスと前記遠隔装置からの情報とを含むパケットをアクセスポイントから受信し、
前記遠隔装置を一意に識別する、前記短アドレスよりも多いビットを含む長アドレスに、前記短アドレスをマッピングすることによって、前記情報を提供した前記遠隔装置を識別する、
ように構成されたプロセッサ、
を備える装置。
［７６］
前記プロセッサは、前記情報を提供した前記遠隔装置を識別する際に、
前記短アドレスおよび長アドレス間をマッピングする情報を含むアクセス端末内のデータベースにアクセスする、
ようにさらに構成されている、
［７５］に記載の装置。
［７７］
前記プロセッサは、前記パケットを受信する前に、前記短アドレスおよび長アドレス間のマッピングを示すメッセージを前記アクセスポイントへ通信する、
ようにさらに構成されている、
［７６］に記載の装置。
［７８］
前記長アドレスは、レイヤ２トンネルを通して前記アクセスポイントと前記遠隔装置との間でパケットを通信するために使用されるＩＰアドレスである、［７７］に記載の装置
［７９］
前記遠隔装置は、遠隔アクセスポイントである、［７８］に記載の装置。
［８０］
他の通信装置と通信する方法を実施するためにアクセス端末を制御するための機械実行可能な命令を具現化するコンピュータ読み出し可能な媒体であって、前記方法は、
遠隔装置に対応する短アドレスと前記遠隔装置からの情報とを含むパケットをアクセスポイントから受信することと、
前記遠隔装置を一意に識別する、前記短アドレスよりも多いビットを含む長アドレスに、前記短アドレスをマッピングすることによって、前記情報を提供した前記遠隔装置を識別することと、
を備える、
コンピュータ読み出し可能な媒体。
［８１］
前記情報を提供した前記遠隔装置を識別することは、
前記短アドレスおよび長アドレス間をマッピングする情報を含む前記アクセス端末内のデータベースにアクセスすること、
を含む、
［８０］に記載のコンピュータ読み出し可能な媒体。
［８２］
前記パケットを受信する前に、前記短アドレスおよび長アドレス間のマッピングを示すメッセージを前記アクセスポイントへ通信すること、
のための機械実行可能な命令、
をさらに具現化する［８１］に記載のコンピュータ読み出し可能な媒体。
［８３］
前記長アドレスは、レイヤ２トンネルを通して前記アクセスポイントと前記遠隔装置との間でパケットを通信するために使用されるＩＰアドレスである、［８２］に記載のコンピュータ読み出し可能な媒体。
［８４］
前記遠隔装置は、遠隔アクセスポイントである、［８３］に記載のコンピュータ読み出し可能な媒体。
［８５］
情報を遠隔装置へアクセスポイントを通して通信するためのアクセス端末であって、
前記遠隔装置を識別するために前記アクセス端末によって使用される短アドレスおよび前記遠隔装置を識別するために前記アクセスポイントによって使用される長アドレス間のマッピングを示すメッセージを生成するためのマッピングメッセージ生成モジュールと；
前記遠隔装置に対するデータパケットを生成するためのパケット生成モジュールと、なお、前記パケットは、前記遠隔装置を識別するために前記アクセス端末によって使用される短アドレスと、前記遠隔装置へ通信されるべき情報とを含む；
前記のマッピング情報メッセージと生成されたパケットとを前記アクセスポイントへ送信するための無線送信器と；
を備えるアクセス端末。
［８６］
前記短アドレスおよび長アドレス間をマッピングする情報を含むデータベース、
をさらに備える［８５］に記載のアクセス端末。
［８７］
長アドレスを短縮して、そこから対応する短アドレスを生成するための、短アドレス生成モジュール、
をさらに備える［８６］に記載のアクセス端末。
［８８］
前記長アドレスは、レイヤ２トンネルを通して前記アクセスポイントと前記遠隔装置との間でパケットを通信するために使用されるＩＰアドレスである、［８７］に記載のアクセス端末。
［８９］
前記遠隔装置は、遠隔アクセスポイントである、［８８］に記載のアクセス端末。
［９０］
前記遠隔アクセスポイントは、前記アクセス端末のアクティブなネットワーク接続ポイントとして以前に機能し、
前記アクセスポイントは、前記アクセス端末の現在アクティブなネットワーク接続ポイントとして機能し、
前記短アドレスは、前記アクセス端末にとって前記アクセスポイントの位置において固有のものである、
［８９］に記載のアクセス端末。
［９１］
前記遠隔装置に対応する短アドレスと前記遠隔装置からの情報とを含むパケットを前記アクセスポイントから受信するための無線受信器と、
前記アクセスポイントと前記遠隔装置とを含むシステムにおいて、前記遠隔装置を一意に識別する、前記短アドレスより長いアドレスに、前記短アドレスをマッピングすることによって、前記無線受信器によって受信される前記パケット内に含まれる前記情報を提供した前記遠隔装置を識別するための遠隔装置識別モジュールと、
をさらに備える［８５］に記載のアクセス端末。
［９２］
情報を遠隔装置へアクセスポイントを通して通信するためのアクセス端末であって、
前記遠隔装置を識別するために前記アクセス端末によって使用される短アドレスおよび前記遠隔装置を識別するために前記アクセスポイントによって使用される長アドレス間のマッピングを示すメッセージを生成するためのマッピングメッセージ生成手段と；
前記遠隔装置に対するデータパケットを生成するためのパケット生成手段と、なお、前記パケットは、前記遠隔装置を識別するために前記アクセス端末によって使用される短アドレスと前記遠隔装置へ通信されるべき情報とを含む；
前記マッピング情報メッセージと生成されたパケットとを、前記アクセスポイントへ送信するための手段と；
を備えるアクセス端末。
［９３］
前記短アドレスおよび長アドレス間をマッピングする情報を含むデータベース手段、
をさらに備える［９１］に記載のアクセス端末。
［９４］
長アドレスを短縮して、そこから対応する短アドレスを生成するための手段、
をさらに備える［９２］に記載のアクセス端末。
［９５］
前記長アドレスは、レイヤ２トンネルを通して前記アクセスポイントと前記遠隔装置との間でパケットを通信するために使用されるＩＰアドレスである、［９３］に記載のアクセス端末。
［９６］
前記遠隔装置に対応する短アドレスと前記遠隔装置からの情報とを含むパケットを、前記アクセスポイントから受信するための無線受信器手段と、
前記アクセスポイントと前記遠隔装置とを含むシステムにおいて、前記遠隔装置を一意に識別する、前記短アドレスより長いアドレスに、前記短アドレスをマッピングすることによって、前記無線受信器によって受信されるパケット内に含まれる前記情報を提供した前記遠隔装置を識別するための手段と；
をさらに備える［９１］に記載のアクセス端末。
【図１】
0005657616.tif 000002
【図２】
0005657616.tif 000003
【図３】
0005657616.tif 000004
【図４】
0005657616.tif 000005
【図５】
0005657616.tif 000006
【図６】
0005657616.tif 000007
【図７】
0005657616.tif 000008
【図８】
0005657616.tif 000009
【図９】
0005657616.tif 000010
【図１０】
0005657616.tif 000011